(57)【要約】【課題】被検者の健康状態の改善に係る適切かつ具体的な数値目標と指導とが被検者側に提供され得る技術を提供する。【解決手段】医療機関における一被検者を対象とした測定で得られた測定値を示す情報を含む測定値情報が記憶領域に記憶される。次に、医療従事者の動作に応じた信号の入力に応答して、測定値情報のうちの一被検者に係る測定値が、当該医療従事者が認識可能な態様で出力される。該測定値が認識可能な態様で出力されている状態で、医療従事者の動作に応じた信号の入力に応答して、検査項目について一被検者に対する目標値が入力される。そして、検査項目についての測定値と目標値との関係または組合せ、ならびに測定値と目標値とが可視的に出力された状態における医療従事者の動作に応じた信号の入力、の少なくとも一方に応じて、測定値が目標値に到達するために必要な助言に係る助言データが決定される。【選択図】図５
2016143333.tif 000002
【特許請求の範囲】
【請求項１】
医療機関における一被検者を対象とした検査項目に係る測定で得られた測定値を示す情報を含む測定値情報を記憶する記憶領域と、
前記記憶領域に対してデータの授受が可能な態様で接続されている前記医療機関に属する第１情報処理部と、
前記記憶領域に対してデータの授受が可能な態様で接続されている前記一被検者に係る第２情報処理部と、を備え、
前記第１情報処理部が、
医療従事者の動作に応じた信号の入力に応答して、前記測定値情報のうちの前記一被検者に係る前記測定値を当該医療従事者が認識可能な態様で出力する第１出力部と、
前記第１出力部によって前記測定値が認識可能な態様で出力されている状態で、前記医療従事者の動作に応じた信号の入力に応答して、前記検査項目について前記一被検者に対する目標値を入力する目標入力部と、を有しており、
前記検査項目についての前記測定値と前記目標値との関係または組合せ、ならびに前記第１出力部に前記測定値と前記目標値とが可視的に出力された状態における前記医療従事者の動作に応じた信号の入力、の少なくとも一方に応じて、前記測定値が前記目標値に到達するために必要な助言に係る助言データを決定する決定部、
をさらに備えることを特徴とする情報処理システム。
【請求項２】
請求項１に記載の情報処理システムであって、
前記記憶領域が、
前記一被検者および該一被検者の関係者の少なくとも一方の動作に応じた信号の入力に応答して、問診の結果に係る問診データ、ならびに前記一被検者および該一被検者の関係者の少なくとも一方による該一被検者の身体についての測定によって得られた自己測定値データ、の少なくとも一方のデータを記憶し、
前記第１出力部が、
前記医療従事者の動作に応じた信号の入力に応答して、前記一被検者についての前記問診データおよび前記自己測定値データの少なくとも一方のデータを前記医療従事者が認識可能な態様で出力し、
前記目標入力部が、
前記第１出力部によって前記問診データおよび前記自己測定値データの少なくとも一方のデータ、ならびに前記測定値が認識可能な態様で出力されている状態で、前記医療従事者の動作に応じた信号の入力に応答して、前記検査項目について前記一被検者に対する前記目標値を入力することを特徴とする情報処理システム。
【請求項３】
請求項１または請求項２に記載の情報処理システムであって、
前記第２情報処理部が、
前記一被検者および該一被検者の関係者の少なくとも一方の動作に応じた信号の入力に応答して、前記自己測定値データを受け付ける受付部と、
前記受付部によって受け付けられた前記自己測定値データを、前記記憶領域に向けて送出する送出部と、
を有していることを特徴とする情報処理システム。
【請求項４】
請求項３に記載の情報処理システムであって、
前記第１出力部が、
前記医療従事者の動作に応じた信号の入力に応答して、前記一被検者に係る前記自己測定値データを前記医療従事者が認識可能な態様で出力し、
前記第２情報処理部が、
前記一被検者および該一被検者の関係者の少なくとも一方の動作に応じた信号の入力に応答して、前記一被検者に係る前記自己測定値データを前記一被検者および該一被検者の関係者の少なくとも一方が認識可能な態様で出力する第２出力部、
を有していることを特徴とする情報処理システム。
【請求項５】
請求項１から請求項３の何れか１つの請求項に記載の情報処理システムであって、
前記第２情報処理部が、
前記一被検者および該一被検者の関係者の少なくとも一方の動作に応じた信号の入力に応答して、前記記憶領域から前記一被検者についての前記測定値および前記目標値を取得する値取得部と、
前記値取得部によって取得された前記測定値および前記目標値を前記一被検者および該一被検者の関係者の少なくとも一方が認識可能な態様で出力する第２出力部と、
を有していることを特徴とする情報処理システム。
【請求項６】
請求項５に記載の情報処理システムであって、
前記測定値情報が、
前記一被検者を検査対象とした前記医療機関での複数のタイミングにおける測定によって得られた複数の前記測定値を含んでおり、
前記第２出力部が、
前記一被検者および該一被検者の関係者の少なくとも一方の動作に応じた信号の入力に応答して、前記測定値情報のうちの前記一被検者に係る前記複数の測定値についての経時変化と前記目標値との関係を示すグラフを可視的に出力することを特徴とする情報処理システム。
【請求項７】
請求項１から請求項６の何れか１つの請求項に記載の情報処理システムであって、
前記測定値情報が、
前記一被検者を検査対象とした前記医療機関での複数のタイミングにおける測定によって得られた複数の前記測定値を含んでおり、
前記第１出力部が、
前記医療従事者の動作に応じた信号の入力に応答して、前記測定値情報のうちの前記一被検者に係る前記複数の測定値についての経時変化と前記目標値との関係を示すグラフを可視的に出力することを特徴とする情報処理システム。
【請求項８】
請求項１から請求項７の何れか１つの請求項に記載の情報処理システムであって、
前記記憶領域が、
前記測定値に対応する第１の値と前記目標値に対応する第２の値との各関係または各組合せに対してそれぞれ食事療法のメニュー情報が関連付けられている食事療法データベースを記憶しており、
前記情報処理システムが、
前記食事療法データベースから、前記測定値と前記目標値との関係または組合せに対応する食事療法のメニュー情報を認識する認識部、
をさらに備えていることを特徴とする情報処理システム。
【請求項９】
請求項８に記載の情報処理システムであって、
前記食事療法のメニュー情報が、写真、音声および動画のうちの１以上の態様で情報を出力するための情報を含むことを特徴とする情報処理システム。
【請求項１０】
請求項１から請求項９の何れか１つの請求項に記載の情報処理システムであって、
前記記憶領域が、
前記測定値に対応する第３の値と前記目標値に対応する第４の値との各関係または各組合せに対してそれぞれ運動療法のメニュー情報が関連付けられている運動療法データベースを記憶しており、
前記情報処理システムが、
前記運動療法データベースから、前記測定値と前記目標値との関係または組合せに対応する運動療法のメニュー情報を検出する検出部、
をさらに備えていることを特徴とする情報処理システム。
【請求項１１】
請求項１０に記載の情報処理システムであって、
前記記憶領域が、
前記一被検者および該一被検者の関係者の少なくとも一方の動作に応じた信号の入力に応答して、問診の結果に係る問診データを記憶し、
前記運動療法のメニュー情報が、
前記運動療法データベースにおいて、前記第３の値と前記第４の値との各関係または各組合せに対して、前記問診の結果のうちの前記一被検者の体力状態に係る体力状態情報毎に関連付けられており、
前記検出部が、
前記運動療法データベースから、前記測定値、前記目標値および前記体力状態情報に対応する運動療法のメニュー情報を検出することを特徴とする情報処理システム。
【請求項１２】
請求項１０または請求項１１に記載の情報処理システムであって、
前記運動療法のメニュー情報が、写真、音声および動画のうちの１以上の態様で情報を出力するための情報を含むことを特徴とする情報処理システム。
【請求項１３】
(a)医療機関における一被検者を対象とした検査項目に係る測定で得られた測定値を示す情報を含む測定値情報を記憶領域に記憶するステップと、
(b)医療従事者の動作に応じた信号の入力に応答して、前記測定値情報のうちの前記一被検者に係る前記測定値を当該医療従事者が認識可能な態様で出力するステップと、
(c)前記(b)ステップにおいて前記測定値が認識可能な態様で出力されている状態で、前記医療従事者の動作に応じた信号の入力に応答して、前記検査項目について前記一被検者に対する目標値を入力するステップと、
(d)前記検査項目についての前記測定値と前記目標値との関係または組合せ、ならびに前記(b)ステップによって前記測定値と前記目標値とが可視的に出力された状態における前記医療従事者の動作に応じた信号の入力、の少なくとも一方に応じて、前記測定値が前記目標値に到達するために必要な助言に係る助言データを決定するステップと、
を備えることを特徴とする情報処理方法。
【請求項１４】
情報処理システムに含まれるプロセッサーで実行されることで、前記情報処理システムを請求項１から請求項１２の何れか１つの請求項に記載の情報処理システムとして機能させることを特徴とするプログラム。
【発明の詳細な説明】
【技術分野】
【０００１】
本発明は、情報処理システム、情報処理方法、およびプログラムに関する。
【背景技術】
【０００２】
近年、医療の現場では、カルテ等の医療情報の電子化が進められている。そして、インターネット等を介して医療情報および健康の維持に関する情報が提供される種々のシステムが提案されている（例えば、特許文献１〜３等）。
【０００３】
例えば、特許文献１では、被観察者に係る検査結果および問診結果に応じて、検査項目毎に所見基準に従って所見が付け加えられるべき検査項目が特定され、当該検査項目について健康指導に向けての改善目標が作成されるシステムが提案されている。特許文献２では、利用者が入力した個人疾患基本データに応じて指導スタッフによって問診票が作成され、該問診票に対する利用者の回答に応答して作成されるヘルスプランの基本案が、指導スタッフによる承認を経て、利用者に提示されるシステムが提案されている。特許文献３では、個人の健康診断の生体情報に対する自動判定で得られる健康診断結果の履歴情報が管理され、受診者に、該履歴情報と、健康状態に応じた医学情報と、健康維持に必要な医療関連商品等のサービス情報とが提供されるシステムが提案されている。
【先行技術文献】
【特許文献】
【０００４】
【特許文献１】特開２００３−２１６７３６号公報
【特許文献２】特開２００３−１８７００２号公報
【特許文献３】特開２００２−２１５８０７号公報
【発明の概要】
【発明が解決しようとする課題】
【０００５】
しかしながら、上記特許文献１の技術は、改善目標として、「しょうゆの代わりに、ポン酢、レモン、こしょう、唐辛子等を使うようにしましょう。・・・（高血圧）」等と言った行動指針を提示するものに過ぎず、検査項目の数値目標を提示するものではない。上記特許文献３の技術も、検査項目の数値目標を提示するものではない。このため、検査項目の数値の改善に対して利用者のやる気を十分に高めることが出来なかった。
【０００６】
また、上記特許文献２の技術は、利用者である患者の自己申告によって入力される情報に基づいてヘルスプランの基本案が作成されるものであり、適切な情報に基づいて検査項目についての数値目標と指導とが提供されるものではない。
【０００７】
このため、上記特許文献１〜３の何れの技術においても、医療従事者の主導のもとで、検査項目についての適切な数値目標と指導とが提供されず、健康状態の改善に係る適切かつ具体的な数値目標と指導とが利用者としての被検者側に提供されているとは言い難い。
【０００８】
本発明は、上記課題に鑑みてなされたものであり、被検者の健康状態の改善に係る適切かつ具体的な数値目標と指導とが被検者側に提供され得る技術を提供することを目的とする。
【課題を解決するための手段】
【０００９】
上記課題を解決するために、第１の態様に係る情報処理システムは、医療機関における一被検者を対象とした検査項目に係る測定で得られた測定値を示す情報を含む測定値情報を記憶する記憶領域と、前記記憶領域に対してデータの授受が可能な態様で接続されている前記医療機関に属する第１情報処理部と、前記記憶領域に対してデータの授受が可能な態様で接続されている前記一被検者に係る第２情報処理部とを備え、前記第１情報処理部が、医療従事者の動作に応じた信号の入力に応答して、前記測定値情報のうちの前記一被検者に係る前記測定値を当該医療従事者が認識可能な態様で出力する第１出力部と、前記第１出力部によって前記測定値が認識可能な態様で出力されている状態で、前記医療従事者の動作に応じた信号の入力に応答して、前記検査項目について前記一被検者に対する目標値を入力する目標入力部と、を有しており、前記検査項目についての前記測定値と前記目標値との関係または組合せ、ならびに前記第１出力部に前記測定値と前記目標値とが可視的に出力された状態における前記医療従事者の動作に応じた信号の入力、の少なくとも一方に応じて、前記測定値が前記目標値に到達するために必要な助言に係る助言データを決定する決定部をさらに備える。
【００１０】
第２の態様に係る情報処理システムは、第１の態様に係る情報処理システムであって、前記記憶領域が、前記一被検者および該一被検者の関係者の少なくとも一方の動作に応じた信号の入力に応答して、問診の結果に係る問診データ、ならびに前記一被検者および該一被検者の関係者の少なくとも一方による該一被検者の身体についての測定によって得られた自己測定値データ、の少なくとも一方のデータを記憶し、前記第１出力部が、前記医療従事者の動作に応じた信号の入力に応答して、前記一被検者についての前記問診データおよび前記自己測定値データの少なくとも一方のデータを前記医療従事者が認識可能な態様で出力し、前記目標入力部が、前記第１出力部によって前記問診データおよび前記自己測定値データの少なくとも一方のデータ、ならびに前記測定値が認識可能な態様で出力されている状態で、前記医療従事者の動作に応じた信号の入力に応答して、前記検査項目について前記一被検者に対する前記目標値を入力する。
【００１１】
第３の態様に係る情報処理システムは、第１または第２の態様に係る情報処理システムであって、前記第２情報処理部が、前記一被検者および該一被検者の関係者の少なくとも一方の動作に応じた信号の入力に応答して、前記自己測定値データを受け付ける受付部と、前記受付部によって受け付けられた前記自己測定値データを、前記記憶領域に向けて送出する送出部と、を有している。
【００１２】
第４の態様に係る情報処理システムは、第３の態様に係る情報処理システムであって、前記第１出力部が、前記医療従事者の動作に応じた信号の入力に応答して、前記一被検者に係る前記自己測定値データを前記医療従事者が認識可能な態様で出力し、前記第２情報処理部が、前記一被検者および該一被検者の関係者の少なくとも一方の動作に応じた信号の入力に応答して、前記一被検者に係る前記自己測定値データを前記一被検者および該一被検者の関係者の少なくとも一方が認識可能な態様で出力する第２出力部を有している。
【００１３】
第５の態様に係る情報処理システムは、第１から第３の何れか１つの態様に係る情報処理システムであって、前記第２情報処理部が、前記一被検者および該一被検者の関係者の少なくとも一方の動作に応じた信号の入力に応答して、前記記憶領域から前記一被検者についての前記測定値および前記目標値を取得する値取得部と、前記値取得部によって取得された前記測定値および前記目標値を前記一被検者および該一被検者の関係者の少なくとも一方が認識可能な態様で出力する第２出力部とを有している。
【００１４】
第６の態様に係る情報処理システムは、第５の態様に係る情報処理システムであって、前記測定値情報が、前記一被検者を検査対象とした前記医療機関での複数のタイミングにおける測定によって得られた複数の前記測定値を含んでおり、前記第２出力部が、前記一被検者および該一被検者の関係者の少なくとも一方の動作に応じた信号の入力に応答して、前記測定値情報のうちの前記一被検者に係る前記複数の測定値についての経時変化と前記目標値との関係を示すグラフを可視的に出力する。
【００１５】
第７の態様に係る情報処理システムは、第１から第６の何れか１つの態様に係る情報処理システムであって、前記測定値情報が、前記一被検者を検査対象とした前記医療機関での複数のタイミングにおける測定によって得られた複数の前記測定値を含んでおり、前記第１出力部が、前記医療従事者の動作に応じた信号の入力に応答して、前記測定値情報のうちの前記一被検者に係る前記複数の測定値についての経時変化と前記目標値との関係を示すグラフを可視的に出力する。
【００１６】
第８の態様に係る情報処理システムは、第１から第７の何れか１つの態様に係る情報処理システムであって、前記記憶領域が、前記測定値に対応する第１の値と前記目標値に対応する第２の値との各関係または各組合せに対してそれぞれ食事療法のメニュー情報が関連付けられている食事療法データベースを記憶しており、前記情報処理システムが、前記食事療法データベースから、前記測定値と前記目標値との関係または組合せに対応する食事療法のメニュー情報を認識する認識部をさらに備えている。
【００１７】
第９の態様に係る情報処理システムは、第８の態様に係る情報処理システムであって、前記食事療法のメニュー情報が、写真、音声および動画のうちの１以上の態様で情報を出力するための情報を含む。
【００１８】
第１０の態様に係る情報処理システムは、第１から第９の何れか１つの態様に係る情報処理システムであって、前記記憶領域が、前記測定値に対応する第３の値と前記目標値に対応する第４の値との各関係または各組合せに対してそれぞれ運動療法のメニュー情報が関連付けられている運動療法データベースを記憶しており、前記情報処理システムが、前記運動療法データベースから、前記測定値と前記目標値との関係または組合せに対応する運動療法のメニュー情報を検出する検出部をさらに備えている。
【００１９】
第１１の態様に係る情報処理システムは、第１０の態様に係る情報処理システムであって、前記記憶領域が、前記一被検者および該一被検者の関係者の少なくとも一方の動作に応じた信号の入力に応答して、問診の結果に係る問診データを記憶し、前記運動療法のメニュー情報が、前記運動療法データベースにおいて、前記第３の値と前記第４の値との各関係または各組合せに対して、前記問診の結果のうちの前記一被検者の体力状態に係る体力状態情報毎に関連付けられており、前記検出部が、前記運動療法データベースから、前記測定値、前記目標値および前記体力状態情報に対応する運動療法のメニュー情報を検出する。
【００２０】
第１２の態様に係る情報処理システムは、第１０または第１１の態様に係る情報処理システムであって、前記運動療法のメニュー情報が、写真、音声および動画のうちの１以上の態様で情報を出力するための情報を含む。
【００２１】
第１３の態様に係る情報処理方法は、(a)医療機関における一被検者を対象とした検査項目に係る測定で得られた測定値を示す情報を含む測定値情報を記憶領域に記憶するステップと、(b)医療従事者の動作に応じた信号の入力に応答して、前記測定値情報のうちの前記一被検者に係る前記測定値を当該医療従事者が認識可能な態様で出力するステップと、(c)前記(b)ステップにおいて前記測定値が認識可能な態様で出力されている状態で、前記医療従事者の動作に応じた信号の入力に応答して、前記検査項目について前記一被検者に対する目標値を入力するステップと、(d)前記検査項目についての前記測定値と前記目標値との関係または組合せ、ならびに前記(b)ステップによって前記測定値と前記目標値とが可視的に出力された状態における前記医療従事者の動作に応じた信号の入力、の少なくとも一方に応じて、前記測定値が前記目標値に到達するために必要な助言に係る助言データを決定するステップとを備える。
【００２２】
第１４の態様に係るプログラムは、情報処理システムに含まれるプロセッサーで実行されることで、前記情報処理システムを第１から第１２の何れか１つの態様に係る情報処理システムとして機能させる。
【発明の効果】
【００２３】
第１から第１２の何れの態様に係る情報処理システムによっても、健康状態の改善に係る適切かつ具体的な数値目標と指導とが被検者側に提供され得る。
【００２４】
第２の態様に係る情報処理システムによれば、健康状態の改善に係るより適切かつ具体的な数値目標と指導とが被検者側に提供され得る。
【００２５】
第３の態様に係る情報処理システムによれば、被検者側における測定で得られた測定データによって、健康状態の改善に係る数値目標が随時更新され得る。
【００２６】
第４の態様に係る情報処理システムによれば、被検者側における測定で得られた測定データが、被検者側と医療従事者とで共有され得る。
【００２７】
第５の態様に係る情報処理システムによれば、被検者側において検査の測定値と目標値とが認識されることで、被検者側による健康状態の改善に対するやる気が高められ得る。
【００２８】
第６および第７の何れの態様に係る情報処理システムによっても、グラフによって測定値の時間的な変化と目標値との関係が可視的に出力されるため、被検者側および医療機関の少なくとも一方において、目標値に対する測定値の推移が容易に認識され得る。
【００２９】
第８の態様に係る情報処理システムによれば、状況に応じた食事療法のメニューが被検者側に提供され得る。
【００３０】
第９の態様に係る情報処理システムによれば、食事療法のメニューが被検者側に分かり易い態様で提供され得る。
【００３１】
第１０の態様に係る情報処理システムによれば、状況に応じた運動療法のメニューが被検者側に提供され得る。
【００３２】
第１１の態様に係る情報処理システムによれば、被検者の体力状態に応じた運動療法のメニューが被検者側に提供され得る。
【００３３】
第１２の態様に係る情報処理システムによれば、運動療法のメニューが被検者側に分かり易い態様で提供され得る。
【００３４】
第１３の態様に係る情報処理方法によれば、第１の態様に係る情報処理システムと同様な効果が得られる。
【００３５】
第１４の態様に係るプログラムによれば、第１から第１２の何れか１つの態様に係る情報処理システムと同様な効果が得られる。
【図面の簡単な説明】
【００３６】
【図１】一実施形態に係る情報処理システムの概略構成を例示する図である。
【図２】医療サーバーの機能的な構成例を示す図である。
【図３】端末装置の機能的な構成例を示す図である。
【図４】データーセンターサーバーの機能的な構成例を示す図である。
【図５】情報処理システムにおける情報の授受を説明するための図である。
【図６】医療機関の端末装置で実現される機能的な構成の一例を示す図である。
【図７】ＤＣサーバーで実現される機能的な構成の一例を示す図である。
【図８】被検者側の端末装置で実現される機能的な構成の一例を示す図である。
【図９】医療機関の端末装置における入力および閲覧に係るメニュー画面を例示する図である。
【図１０】測定値入力画面の一例を示す図である。
【図１１】目標値・助言入力画面の一例を示す図である。
【図１２】測定値一覧画面の一例を示す図である。
【図１３】問診結果画面の一例を示す図である。
【図１４】測定値・目標値一覧画面の一例を示す図である。
【図１５】評価画面の一例を示す図である。
【図１６】食事療法画面の一例を示す図である。
【図１７】運動療法画面の一例を示す図である。
【図１８】測定値・目標値グラフ画面の一例を示す図である。
【図１９】測定値・目標値グラフ画面の一例を示す図である。
【図２０】測定値・目標値グラフ画面の一例を示す図である。
【図２１】測定値・目標値グラフ画面の一例を示す図である。
【図２２】被検者側の端末装置における入力および閲覧に係るメニュー画面を例示する図である。
【図２３】問診入力画面の一例を示す図である。
【図２４】自己測定値の入力画面を例示する図である。
【図２５】情報処理システムにおける動作フローを示すフローチャートである。
【図２６】情報処理システムにおける動作フローを示すフローチャートである。
【図２７】情報処理システムにおける動作フローを示すフローチャートである。
【図２８】情報処理システムにおける動作フローを示すフローチャートである。
【図２９】情報処理システムにおける動作フローを示すフローチャートである。
【図３０】情報処理システムにおける動作フローを示すフローチャートである。
【図３１】情報処理システムにおける動作フローを示すフローチャートである。
【図３２】情報処理システムにおける動作フローを示すフローチャートである。
【図３３】情報処理システムにおける動作フローを示すフローチャートである。
【図３４】情報処理システムにおける動作フローを示すフローチャートである。
【図３５】情報処理システムにおける動作フローを示すフローチャートである。
【発明を実施するための形態】
【００３７】
以下、本発明の一実施形態を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は適宜変更され得る。
【００３８】
＜(１)一実施形態＞
＜(１−１)情報処理システムの概略構成＞
図１は、一実施形態に係る情報処理システム１の概略構成を例示する図である。
【００３９】
情報処理システム１では、検査を受けるヒト（被検者とも言う）を対象とした医療機関での検査項目に係る測定で得られた測定値に基づいて、健康状態の改善に係る適切かつ具体的な数値目標と指導とが被検者側に提供される。つまり、情報処理システム１は、被検者の健康状態の改善を支援するための機能（健康支援機能とも言う）を実現する。
【００４０】
情報処理システム１の医療機関における使用者には、医師、理学療法士および看護師等の医療に従事している者（医療従事者とも言う）が含まれる。また、本情報処理システム１の医療従事者とは異なる一般の利用者（一般利用者とも言う）には、被検者および被検者の関係者等が含まれる。被検者の関係者には、例えば、被検者の保護者、介護者、家族、親戚、友人および知人等が含まれる。
【００４１】
図１で示されるように、情報処理システム１は、医療サーバー１０、端末装置２０，４０〜７０およびデーターセンターサーバー（ＤＣサーバーとも言う）３０を備えている。本実施形態では、医療サーバー１０および端末装置２０が、医療機関２に属している。医療機関２には、例えば、総合病院、専門病院および個人病院等の各種医療施設が含まれ得る。また、ＤＣサーバー３０および端末装置４０が、サービス事業者３に属している。サービス事業者３は、例えば、各被検者に係る個人的な健康の記録を示すデータが蓄積された個人健康記録（ＰＨＲ：Personal Health Record）３４１を構築して、該ＰＨＲ３４１の情報を利用者に適宜提供するサービスを管理および運営する団体等であれば良い。また、端末装置５０〜７０が、一般利用者４に属している。ここでは、例えば、一般利用者が、端末装置５０〜７０を所有あるいは所持しているケースが想定される。但し、医療機関において問診に回答する際に、例えば、医療機関から端末装置５０〜７０が一般利用者に貸与される態様も考えられる。
【００４２】
本実施形態では、例えば、医療機関２において、医療サーバー１０と端末装置２０とが、通信回線Ｃｃ１を介して、データの授受が可能な態様で接続されている。また、サービス事業者３において、ＤＣサーバー３０と端末装置４０とが、通信回線Ｃｃ２を介して、データの授受が可能な態様で接続されている。また、医療サーバー１０、端末装置２０，４０〜７０およびＤＣサーバー３０は、例えば、通信回線Ｃｃ３を介して、データの授受が可能な態様で接続されている。但し、通常は、一般利用者４に属する端末装置５０〜７０が医療サーバー１０に対するアクセス権を有していない態様が想定される。なお、端末装置２０が、医療サーバー１０を介して、通信回線Ｃｃ３に接続されていても良い。
【００４３】
ここで、各通信回線Ｃｃ１，Ｃｃ２は、有線回線および無線回線の何れであっても良い。通信回線Ｃｃ１の例としては、例えば、ローカルエリアネットワーク（ＬＡＮ）回線等のネットワーク回線および通信ケーブル等が挙げられる。通信回線Ｃｃ２の例としては、例えば、インターネット回線等のネットワーク回線が挙げられる。
【００４４】
医療サーバー１０は、カルテの電子的な情報（電子カルテ情報とも言う）を記憶する記憶領域（第１記憶領域とも言う）を有する。具体的には、医療サーバー１０に、１以上の被検者に係る電子カルテ情報が蓄積された電子カルテデータベース（電子カルテＤＢとも言う）１４１が記憶されている。電子カルテ情報には、一被検者を対象とした医療機関２における検査項目に係る測定で得られた測定値を示す情報が含まれる。医療サーバー１０は、例えば、医療機関２内に設置される。なお、医療サーバー１０は、例えば、医療機関２内に設置されることなく、医療機関２の外に設けられたサーバーであって、ネットワーク回線Ｃｃ３を介して端末装置２０に対してデータの授受が可能な態様で接続されたサーバーであっても良い。具体例としては、いわゆるクラウドと称される態様による情報の記憶によって、電子カルテＤＢ１４１が構築される構成が採用されても良い。
【００４５】
端末装置２０は、医療サーバー１０に対してデータの授受が可能な態様で接続されており、情報処理システム１のうちの医療機関２に属する情報処理を行う部分（第１情報処理部とも言う）に相当する。つまり、第１情報処理部としての端末装置２０は、医療サーバー１０の電子カルテ情報が記憶されている第１記憶領域に対してデータの授受が可能な態様で接続されている。端末装置２０は、例えば、医療機関２内に配置され、医師等の医療従事者によって利用される。
【００４６】
ＤＣサーバー３０は、健康を支援するための各種情報を提供するためのサーバーである。ＤＣサーバー３０として、例えば、ＡＳＰ（Application Service Provider）サービスを提供するサーバーが採用され得る。ＤＣサーバー３０は、電子カルテ情報に由来する情報を記憶する記憶領域（第２記憶領域とも言う）を有する。具体的には、ＤＣサーバー３０に、ＰＨＲ３４１が記憶されている。なお、例えば、クラウドと称される情報の記憶態様によって、ＰＨＲ３４１が構築される構成が採用されても良い。
【００４７】
ＰＨＲ３４１は、例えば、各被検者についての電子カルテ情報の少なくとも一部の情報が、電子カルテＤＢ１４１から取得されることで構築される。これにより、ＰＨＲ３４１には、医療機関における一被検者を対象とした検査項目に係る測定で得られた測定値を示す情報を含む情報（測定値情報とも言う）が記憶される。このため、医療サーバー１０の第１記憶領域とＤＣサーバー３０の第２記憶領域とを含む記憶領域に、医療機関における一被検者を対象とした検査項目に係る測定で得られた測定値を示す情報を含む測定値情報が記憶される。また、ＰＨＲ３４１には、例えば、端末装置５０〜７０から入力される各被検者あるいは各被検者の関係者によって測定された被検者自身に係る１以上の測定値を示すデータ（自己測定値データとも言う）が蓄積される。
【００４８】
端末装置４０は、ＤＣサーバー３０を管理するための装置である。該端末装置４０としては、例えば、パソコン等が採用され得る。ここで、例えば、情報処理システム１の管理者によって端末装置４０が用いられることで、ＤＣサーバー３０の記憶内容が更新および変更され得る。
【００４９】
端末装置５０〜７０は、被検者およびその関係者等と言った情報処理システム１の一般利用者が使用する装置である。端末装置５０〜７０としては、例えば、一般利用者が所有または所持している、スマートフォン等の携帯電話機、タブレット等の携帯機器およびパーソナルコンピューター（パソコンとも言う）の少なくとも１以上が採用される。また、各端末装置５０〜７０は、第２記憶領域を含むＤＣサーバー３０に対してデータの授受が可能な態様で接続されており、情報処理システム１のうちの一般利用者４に属する情報処理を行う部分（第２情報処理部とも言う）に相当する。つまり、第２情報処理部としての端末装置５０〜７０は、それぞれＤＣサーバー３０のうちのＰＨＲ３４１が記憶されている第２記憶領域に対してデータの授受が可能な態様で接続されている。
【００５０】
本実施形態では、医療サーバー１０の第１記憶領域とＤＣサーバー３０の第２記憶領域とが離隔しているが、一群の構成からなる１つの記憶領域を有しているとみなされて良い。また、例えば、第１記憶領域を有する医療サーバー１０と第２記憶領域を有するＤＣサーバー３０とが、一体のサーバーとして構成されても良い。この場合、第１記憶領域と第２記憶領域とを含む一体の記憶領域が構成され得る。なお、例えば、いわゆるクラウドと称される情報の記憶態様によって、一群の構成からなる１つの記憶領域あるいは一体の記憶領域が実現されても良い。
【００５１】
＜(１−２)医療サーバーの構成＞
図２は、医療サーバー１０の主要な構成を例示するブロック図である。医療サーバー１０としては、例えば、パソコン等が採用され得る。該医療サーバー１０は、入力部１１、出力部１２、インターフェース（Ｉ／Ｆ）部１３、記憶部１４、入出力（Ｉ／Ｏ）部１５および制御部１６を備えている。
【００５２】
入力部１１は、医療サーバー１０の管理者等の動作に応じた信号を入力する。入力部１１には、例えば、操作に応じた信号を入力するマウスおよびキーボード等を含む操作部、音声に応じた信号を入力する音声認識部、および動きの認識に応じた信号を入力する動き認識部等が含まれ得る。出力部１２は、各種情報を使用者が認識可能な態様で出力する部分である。出力部１２には、例えば、各種情報を可視的に出力する出力部、および各種情報を可聴的に出力するスピーカー部等が含まれる。なお、ここでは、例えば、入力部１１と出力部１２とが一体化されたタッチパネルが採用されても良い。Ｉ／Ｆ部１３は、医療サーバー１０と外部装置との間におけるデータの授受を行う部分である。Ｉ／Ｆ部１３では、例えば、通信回線Ｃｃ１を介して端末装置２０との間におけるデータの授受が行われ、通信回線Ｃｃ３を介して、ＤＣサーバー３０等との間におけるデータの授受が行われる。
【００５３】
記憶部１４は、各種の情報を記憶する部分であり、例えば、ハードディスク等の記憶媒体を含む。なお、記憶部１４の構成としては、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部１４には、例えば、プログラムＰ１、電子カルテＤＢ１４１およびその他の各種データが格納される。Ｉ／Ｏ部１５は、例えば、可搬性の記憶媒体Ｄ１の脱着が可能な部分である。Ｉ／Ｏ部１５では、例えば、記憶媒体Ｄ１が装着されている状態で、記憶媒体Ｄ１と制御部１６との間におけるデータの授受が行われる。また、プログラムＰ１が格納された記憶媒体Ｄ１がＩ／Ｏ部１５に装着されることで、記憶媒体Ｄ１から記憶部１４内にプログラムＰ１が読み込まれて記憶される態様が採用されても良い。
【００５４】
制御部１６は、例えば、プロセッサーとして働くＣＰＵ１６ａおよび情報を一時的に記憶するメモリー１６ｂ等を含む。制御部１６は、記憶部１４に格納されているプログラムＰ１を読み込んで実行することで、医療サーバー１０の各種機能および情報処理等を実現する。ここで、制御部１６における各種情報処理によって一時的に得られる各種情報は、メモリー１６ｂ等に記憶される。
【００５５】
＜(１−３)端末装置の構成＞
図３は、端末装置２０，４０〜７０の構成を例示するブロック図である。端末装置２０は、例えば、パソコンであれば良く、入力部２１、出力部２２、インターフェース（Ｉ／Ｆ）部２３、記憶部２４、入出力（Ｉ／Ｏ）部２５および制御部２６を備えている。
【００５６】
入力部２１は、端末装置２０の使用者の動作に応じた信号を入力する。入力部２１には、例えば、操作部、音声認識部および動き認識部等が含まれ得る。出力部２２は、各種情報を使用者が認識可能な態様で出力する部分である。出力部２２には、例えば、表示部およびスピーカー部等の各種情報を出力する部分が含まれ得る。なお、ここでは、例えば、入力部２１と出力部２２とが一体化されたタッチパネルが採用されても良い。Ｉ／Ｆ部２３は、通信回線Ｃｃ１を介して端末装置２０と医療サーバー１０との間におけるデータの授受を行う。
【００５７】
記憶部２４は、各種の情報を記憶する部分であり、例えば、ハードディスク等の記憶媒体を含む。なお、記憶部２４の構成としては、記憶部１４と同様に、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部２４には、例えば、プログラムＰ２およびその他の各種データが格納される。Ｉ／Ｏ部２５は、例えば、可搬性の記憶媒体Ｄ２の脱着が可能な部分である。Ｉ／Ｏ部２５では、例えば、記憶媒体Ｄ２が装着されている状態で、記憶媒体Ｄ２と制御部２６との間におけるデータの授受が行われる。また、プログラムＰ２が格納された記憶媒体Ｄ２がＩ／Ｏ部１５に装着されることで、記憶媒体Ｄ２から記憶部２４内にプログラムＰ２が読み込まれて記憶される態様が採用されても良い。
【００５８】
制御部２６は、例えば、プロセッサーとして働くＣＰＵ２６ａおよび情報を一時的に記憶するメモリー２６ｂ等を含む。制御部２６は、記憶部２４に格納されているプログラムＰ２を読み込んで実行することで、端末装置２０の各種機能および情報処理等を実現する。ここで、制御部２６における各種情報処理によって一時的に得られる各種情報は、メモリー２６ｂ等に記憶される。
【００５９】
端末装置４０〜７０は、それぞれ端末装置２０と同様な構成を有している。具体的には、サービス事業者３の端末装置４０は、入力部２１、出力部２２、Ｉ／Ｆ部２３、記憶部２４、Ｉ／Ｏ部２５ならびにＣＰＵ２６ａとメモリー２６ｂとを含む制御部２６と同様な構成をそれぞれ有する、入力部４１、出力部４２、Ｉ／Ｆ部４３、記憶部４４、Ｉ／Ｏ部４５ならびにＣＰＵ４６ａとメモリー４６ｂとを含む制御部４６を備えている。そして、制御部４６において記憶部４４に格納されているプログラムＰ４が読み込まれて実行されることで、端末装置４０の各種機能および情報処理等が実現される。
【００６０】
また、一般利用者の端末装置５０〜７０は、入力部２１、出力部２２、Ｉ／Ｆ部２３、記憶部２４、Ｉ／Ｏ部２５ならびに制御部２６と同様な構成をそれぞれ有する、入力部５１、出力部５２、Ｉ／Ｆ部５３、記憶部５４、Ｉ／Ｏ部５５ならびにＣＰＵ５６ａとメモリー５６ｂとを含む制御部５６を備えている。そして、制御部５６において記憶部５４に格納されているプログラムＰ５〜Ｐ７が読み込まれて実行されることで、端末装置５０〜７０の各種機能および情報処理等が実現される。
【００６１】
このように、プログラムＰ１〜Ｐ７が、プロセッサーとしてのＣＰＵ１６ａ，２６ａ，３６ａ，４６ａ，５６ａで実行されることで、情報処理システム１の機能が実現され得る。
【００６２】
＜(１−４)ＤＣサーバーの構成＞
図４は、ＤＣサーバー３０の構成を例示するブロック図である。ＤＣサーバー３０は、例えば、パソコンであれば良く、入力部３１、出力部３２、インターフェース（Ｉ／Ｆ）部３３、記憶部３４、入出力（Ｉ／Ｏ）部３５および制御部３６を備えている。
【００６３】
入力部３１は、ＤＣサーバー３０の使用者の動作に応じた信号を入力する。入力部３１には、例えば、操作部、音声認識部、および動き認識部等が含まれる。出力部３２は、各種情報を使用者が認識可能な態様で出力する部分である。出力部３２には、例えば、表示部およびスピーカー部等の各種情報を出力する部分が含まれ得る。なお、ここでは、例えば、入力部３１と出力部３２とが一体化されたタッチパネルが採用されても良い。Ｉ／Ｆ部３３は、例えば、通信回線Ｃｃ３を介してＤＣサーバー３０と医療サーバー１０および端末装置２０，５０〜７０との間におけるデータの授受を行い、通信回線Ｃｃ２を介してＤＣサーバー３０と端末装置４０との間におけるデータの授受を行う。
【００６４】
記憶部３４は、各種の情報を記憶する部分であり、例えば、ハードディスク等の記憶媒体を含む。なお、記憶部３４の構成としては、記憶部１４，２４と同様に、例えば、１つの記憶媒体を有する構成、２つ以上の記憶媒体を一体的に有する構成、ならびに２つ以上の記憶媒体を２つ以上の部分に分けて有する構成の何れの構成が採用されても良い。記憶部３４には、例えば、ＰＨＲ３４１、プログラムＰ３およびその他の各種データが格納される。Ｉ／Ｏ部３５は、例えば、可搬性の記憶媒体Ｄ３の脱着が可能な部分であり、記憶媒体Ｄ３が装着されている状態で、記憶媒体Ｄ３と制御部３６との間におけるデータの授受が行われる。また、プログラムＰ３が格納された記憶媒体Ｄ３がＩ／Ｏ部３５に装着されることで、記憶媒体Ｄ３から記憶部３４内にプログラムＰ３が読み込まれて記憶される態様が採用されても良い。
【００６５】
制御部３６は、例えば、プロセッサーとして働くＣＰＵ３６ａおよび情報を一時的に記憶するメモリー３６ｂ等を含む。制御部３６は、記憶部３４に格納されているプログラムＰ３を読み込んで実行することで、ＤＣサーバー３０の各種機能および情報処理等を実現する。ここで、制御部３６における各種情報処理によって一時的に得られる各種情報は、メモリー３６ｂ等に記憶される。
【００６６】
＜(１−５)情報処理システムの健康支援機能に係る情報の授受＞
図５は、情報処理システム１における健康支援機能に係る情報の授受を説明するための図である。
【００６７】
図５で示されるように、例えば、医療機関の端末装置２０から、医療機関における測定で得られた測定値を示すデータ（測定値データとも言う）が入力されることで、該測定値データが、医療サーバー１０の電子カルテＤＢ１４１に格納される。ここで、例えば、電子カルテＤＢ１４１に格納される測定値データが、ＤＣサーバー３０によって適宜取得されることで、測定値データベース（測定値ＤＢとも言う）１Ｄｂが構築される。測定値ＤＢ１Ｄｂには、例えば、被検者毎に各検査項目に係る測定値データが蓄積される。また、端末装置２０から、医師の判断に基づく検査項目に係る目標値を示すデータ（目標値データとも言う）、および該目標値に応じた助言を示すデータ（助言データとも言う）が入力されることで、例えば、目標値データベース（目標値ＤＢとも言う）２Ｄｂおよび助言データベース（助言ＤＢとも言う）３Ｄｂが構築される。目標値ＤＢ２Ｄｂには、例えば、被検者毎に各検査項目に係る目標値データが蓄積される。助言ＤＢ３Ｄｂには、例えば、被検者毎に各検査項目に係る助言データが蓄積される。なお、助言には、例えば、食事療法に係る食事のメニューおよび運動療法に係る運動のメニュー等が含まれる。
【００６８】
例えば、食事療法のメニューの情報（食事療法のメニュー情報とも言う）が、食事療法ＤＢ７Ｄｂにおいて、測定値に対応する第１の値と、目標値に対応する第２の値との各関係または各組み合わせに対して関連付けられている。つまり、例えば、検査項目に係る測定値と目標値との関係または組合せに対して適切な食事のメニューが関連付けられている。なお、第１の値と第２の値との関係には、例えば、差分および割合等の相違を示す数値が含まれ得る。ところで、食事療法のメニュー情報が、問診の結果のうちの一被検者の体力状態に係る体力状態情報毎に関連づけられていても良い。これにより、被検者の体力状態に応じた食事療法のメニューが被検者側に提供され得る。なお、ここで言う体力状態には、例えば、特定の食品に対するアレルギーの有無等も含まれ得る。また、例えば、食事療法のメニュー情報が、写真、音声および動画のうちの１以上の態様で情報を出力するための情報を含んでいれば、食事療法のメニューが被検者側に分かり易い態様で提供され得る。
【００６９】
また、例えば、運動療法のメニューの情報（運動療法のメニュー情報とも言う）が、運動療法ＤＢ８Ｄｂにおいて、測定値に対応する第３の値と、目標値に対応する第４の値との各関係または各組み合わせに対して関連付けられている。つまり、例えば、検査項目に係る測定値と目標値との関係または組合せに対して適切な運動のメニューが関連付けられている。なお、第３の値と第４の値との関係には、例えば、差分および割合等の相違を示す数値が含まれ得る。ところで、運動療法のメニュー情報が、問診の結果のうちの一被検者の体力状態に係る体力状態情報毎に関連づけられていても良い。これにより、被検者の体力状態に応じた運動療法のメニューが被検者側に提供され得る。また、例えば、運動療法のメニュー情報が、写真、音声および動画のうちの１以上の態様で情報を出力するための情報を含んでいれば、運動療法のメニューが被検者側に分かり易い態様で提供され得る。
【００７０】
また、一般利用者の端末装置５０〜７０から、問診に対する回答結果を示すデータ（問診データとも言う）、ならびに一被検者および該一被検者の関係者の少なくとも一方による該一被検者の身体についての測定によって得られた測定値（自己測定値とも言う）を示すデータ（自己測定値データとも言う）が入力される。これにより、例えば、問診データベース（問診ＤＢとも言う）４Ｄｂおよび自己測定値データベース（自己測定値ＤＢとも言う）５Ｄｂが構築される。ここで、自己測定値には、例えば、血圧計、体重体脂肪計および歩数計等と言った一般利用者が所有または所持している頻度が高い一般的な測定装置によって測定され得る測定値が含まれる。ここで、最高血圧、最低血圧、脈拍、体重、体脂肪、血糖値および歩数等を含むデータは、バイタルデータとも言う。また、問診ＤＢ４Ｄｂには、被検者毎に問診の回答結果を示す問診データが蓄積されている。自己測定値ＤＢ５Ｄｂには、被検者毎に被検者自身または被検者の関係者によって検査項目毎に測定された測定値を示す測定値データが蓄積されている。
【００７１】
このようにして、例えば、記憶部３４には、一被検者および該一被検者の関係者の少なくとも一方の動作に応じた信号の入力に応答して、問診の結果に係る問診データ、ならびに一被検者および該一被検者の関係者の少なくとも一方による該一被検者の身体についての測定によって得られた自己測定値データ、の少なくとも一方のデータが記憶される。
【００７２】
ここでは、例えば、ＤＣサーバー３０のＰＨＲ３４１には、それぞれ、測定値ＤＢ１Ｄｂ、目標値ＤＢ２Ｄｂ、助言ＤＢ３Ｄｂ、問診ＤＢ４Ｄｂおよび自己測定値ＤＢ５Ｄｂが記憶される。さらに、ＤＣサーバー３０の記憶部３４には、例えば、基準値データベース（基準値ＤＢとも言う）６Ｄｂ、食事療法データベース（食事療法ＤＢとも言う）７Ｄｂおよび運動療法データベース（運動療法ＤＢとも言う）８Ｄｂが記憶される。基準値ＤＢ６Ｄｂには、検査項目毎の基準値が蓄積されている。食事療法ＤＢ７Ｄｂには、食事療法を行うための食事のメニューが蓄積されている。運動療法ＤＢ８Ｄｂには、運動療法を行うための運動のメニューが蓄積されている。
【００７３】
また、医療機関の端末装置２０では、例えば、ＤＣサーバー３０から、測定値、問診、目標値、評価結果、食事療法のメニューおよび運動療法のメニューに係るデータを得て、閲覧または参照することができる。なお、端末装置２０では、例えば、医療サーバー１０から、測定値に係るデータを得て、閲覧または参照することが可能であっても良い。なお、評価結果は、測定値と基準値との比較によって得られる。一般利用者の端末装置５０〜７０においても、例えば、ＤＣサーバー３０から、測定値、問診、目標値、評価結果、食事療法のメニューおよび運動療法のメニューに係るデータを得て、閲覧または参照することができる。
【００７４】
＜(１−６)情報処理システムの健康支援機能に係る機能的な構成＞
＜(１−６−１)医療機関の端末装置で実現される機能的な構成＞
図６は、医療機関の端末装置２０の制御部２６においてプログラムＰ２の実行によって実現される機能的な構成を示す図である。ここでは、制御部２６は、実現される機能的な構成として、信号受付部２６１、情報要求部２６２、情報取得部２６３、出力制御部２６４、目標入力部２６５および助言入力部２６６を有している。
【００７５】
信号受付部２６１は、端末装置２０の使用者としての医療従事者の動作に応じて入力部２１で入力される信号を受け付ける。
【００７６】
情報要求部２６２は、医療サーバー１０およびＤＣサーバー３０の少なくとも一方等に対して情報を要求する。例えば、信号受付部２６１での信号の受け付けに応答して、情報要求部２６２によって、医療サーバー１０の記憶部１４に記憶されている電子カルテＤＢ１４１およびＤＣサーバー３０の記憶部３４に記憶されているＰＨＲ３４１の少なくとも一方に含まれている情報が要求される。
【００７７】
情報取得部２６３は、例えば、医療サーバー１０およびＤＣサーバー３０の少なくとも一方から電子カルテＤＢ１４１およびＰＨＲ３４１の少なくとも一方に含まれている情報を取得する。このとき、情報要求部２６２によって要求された情報が、情報取得部２６３によって電子カルテＤＢ１４１およびＰＨＲ３４１の少なくとも一方から取得される。
【００７８】
出力制御部２６４は、出力部２２における情報の出力を制御する。これにより、出力部２２が、医療従事者の動作に応じた信号の入力に応答して、測定値情報のうちの一被検者に係る測定値を医療従事者が認識可能な態様で出力する部分（第１出力部とも言う）としての役割を果たす。また、出力部２２によって、医療従事者の動作に応じた信号の入力に応答して、医療従事者が認識可能な態様で一被検者に係る自己測定値が出力されても良い。
【００７９】
また、出力部２２によって、医療従事者の動作に応じた信号の入力に応答して、ＰＨＲ３４１等に格納された測定値情報のうちの一被検者に係る複数の測定値についての該測定値の経時変化と目標値との関係を示すグラフが可視的に出力される態様が考えられる。このような態様が採用されることにより、グラフによって測定値の時間的な変化と目標値との関係が可視的に出力されるため、被検者側および医療機関の少なくとも何れか一方において、目標値に対する測定値の推移が容易に認識され得る。このようなグラフを生成するためには、例えば、ＰＨＲ３４１に格納された測定値情報が、一被検者を検査対象とした医療機関での複数のタイミングにおける測定によって得られた複数の測定値を含んでいれば良い。
【００８０】
また、ここで、例えば、ＰＨＲ１４１が、複数のタイミングにおける入力によって複数の目標値を含んでいれば、グラフにおいて、複数の目標値についての該目標値の経時変化と、測定値の経時変化との関係を示すグラフが可視的に出力され得る。
【００８１】
目標入力部２６５は、信号受付部２６１での信号の受付に応答して、検査項目に対する目標値を入力する。例えば、出力部１２によって測定値が認識可能な態様で出力されている状態で、入力部１１における医療従事者の動作に応じた信号の入力に応答して、目標入力部２６５によって、検査項目について一被検者に対する目標値に係る目標値データが入力される。これにより、ＰＨＲ３４１に、一被検者に対する目標値データが格納される。つまり、目標値データの記憶によって目標値ＤＢ２Ｄｂが構築されるか、あるいは既に構築された目標値ＤＢ２Ｄｂに一被検者に対する目標値データが記憶される。なお、検査項目の数値として通常範囲とされている値域（標準値域とも言う）と測定値とが大きくかけ離れていれば、例えば、標準値域と測定値との間に目標値が設定されれば良い。これにより、検査項目の数値を一気に改善することを強制し過ぎなければ、測定値を改善しようとする一被検者のモチベーションが低下する不具合が生じ難い。
【００８２】
本実施形態では、ＤＣサーバー３０が、一被検者および該一被検者の関係者の少なくとも一方の動作に応じた信号の入力に応答して、問診データおよび自己測定値データのうちの少なくとも一方のデータを記憶する。このため、医療従事者の動作に応じた信号の入力に応答して、出力部１２によって、一被検者についての問診データおよび自己測定値データのうちの少なくとも一方のデータが、医療従事者が認識可能な態様で出力される。このとき、出力部１２によって問診データおよび自己測定値データのうちの少なくとも一方のデータ、ならびに測定値が認識可能な態様で出力されている状態で、医療従事者の動作に応じた信号の入力に応答して、目標入力部２６５によって、検査項目について一被検者に対する目標値データが入力される。このような態様では、健康状態の改善に係るより適切かつ具体的な数値目標と指導とが被検者側に提供され得る。
【００８３】
但し、問診データおよび自己測定値データに基づくことなく、測定値のみに基づいて、医療従事者によって一被検者に対する目標値データが入力されても良い。
【００８４】
助言入力部２６６は、信号受付部２６１での信号の受付に応答して、測定値が目標値に到達するために必要な助言に係る情報を入力する。これにより、例えば、ＰＨＲ３４１に、一被検者に対する助言を示す助言データが格納される。つまり、助言データの記憶によって助言ＤＢ３Ｄｂが構築されるか、あるいは既に構築された助言ＤＢ３Ｄｂに一被検者に対する助言データが記憶される。なお、助言データは、助言入力部２６６によって直接入力されても良いが、例えば、後述する助言決定部３６５によって、測定値と目標値との関係等に応じて自動的に決定されても良い。
【００８５】
＜(１−６−２)ＤＣサーバーで実現される機能的な構成＞
図７は、ＤＣサーバー３０の制御部３６においてプログラムＰ３の実行によって実現される機能的な構成を示す図である。ここでは、制御部３６は、実現される機能的な構成として、取得部３６１、記憶制御部３６２、情報検索部３６３、通信制御部３６４、助言決定部３６５、グラフ生成部３６６、認識部３６７、検出部３６８および評価部３６９を有している。
【００８６】
取得部３６１は、医療サーバー１０および端末装置５０〜７０から、各被検者に係る測定値、目標値、助言、問診および自己測定値のデータを取得する。例えば、取得部３６１によって、電子カルテＤＢ１４１から各被検者に係る電子カルテ情報の少なくとも一部の情報が取得されることで、各被検者に係る測定値および問診等のデータが取得され得る。また、例えば、取得部３６１によって、端末装置２０の目標入力部２６５および助言入力部２６６から入力される目標値データおよび助言データが取得され得る。また、例えば、一般利用者の端末装置５０〜７０における入力に応じて、取得部３６１によって、各被検者に係る問診および自己測定値のデータが取得され得る。
【００８７】
記憶制御部３６２は、取得部３６１によって取得された各被検者に係る測定値、目標値、助言、問診および自己測定値のデータを記憶部３４に記憶させることで、ＰＨＲ３４１が構築される。具体的には、測定値ＤＢ１Ｄｂ、目標値ＤＢ２Ｄｂ、助言ＤＢ３Ｄｂ、問診ＤＢ４Ｄｂおよび自己測定値ＤＢ５Ｄｂが構築される。
【００８８】
また、記憶部３４には、基準値ＤＢ６Ｄｂ、食事療法ＤＢ７Ｄｂ、運動療法ＤＢ８Ｄｂおよびグラフ生成ルール３４２が記憶されている。グラフ生成ルール３４２は、例えば、グラフの縦軸および横軸の設定を調整し、各タイミングで得られた測定値をプロットする。
【００８９】
情報検索部３６３は、端末装置２０，５０〜７０からの情報の要求に対して、要求に応じた情報を記憶部３４において検索する。
【００９０】
通信制御部３６４は、ＤＣサーバー３０と、医療サーバー１０および端末装置４０〜７０との間における情報の送受信を制御する。
【００９１】
助言決定部３６５は、検査項目についての測定値と目標値との関係または組合せ等、ならびに出力部１２に測定値と目標値とが可視的に出力された状態における医療従事者の動作に応じた信号の入力、のうちの少なくとも一方に応じて、測定値が目標値に到達するために必要な助言に係る助言データが決定される。助言決定部３６５では、例えば、食事療法ＤＢ７Ｄｂが参照されて、測定値と目標値との関係または組合せ等に対応する食事療法に係る助言データが決定され得る。また、助言決定部３６５では、例えば、運動療法ＤＢ８Ｄｂが参照されて、測定値と目標値との関係または組合せ等に対応する運動療法に係る助言データが決定され得る。助言決定部３６５で決定される助言データは、例えば、対象としての一被検者に対して関連付けられた状態で、助言ＤＢ３Ｄｂに格納される。
【００９２】
グラフ生成部３６６は、測定値ＤＢ１Ｄｂおよび目標値ＤＢ２Ｄｂの情報に基づき、グラフ生成ルール３４２に従って、一被検者に係る複数の測定値に基づく測定値の経時変化と目標値との関係を示すグラフに係るデータ（グラフデータとも言う）を生成する。このようなグラフを生成するためには、例えば、測定値ＤＢ１Ｄｂ内の測定値情報が、一被検者を検査対象とした医療機関での複数のタイミングにおける測定によって得られた複数の測定値を含んでいれば良い。
【００９３】
なお、ここで、目標値ＤＢ２Ｄｂが、複数のタイミングにおける入力に応じた複数の目標値を含んでいれば、グラフにおいて、複数の目標値についての該目標値の経時変化と、測定値の経時変化との関係を示すグラフが可視的に出力され得る。
【００９４】
認識部３６７は、食事療法ＤＢ７Ｄｂから、測定値と目標値との関係または組合せに対応する食事療法のメニュー情報を認識する。これにより、状況に応じた食事療法のメニューが被検者側に提供され得る。例えば、検査項目が血圧である場合、現在の測定値と目標値との差から目標値を達成するための１日当たりのエネルギー摂取量が算出され、該１日当たりのエネルギー摂取量に関連付けられた食事療法のメニュー情報が、食事療法ＤＢ７Ｄｂから認識される態様が考えられる。このような態様が採用される場合、食事療法ＤＢ７Ｄｂにおいては、エネルギー摂取量に対応する複数の数値に対して、それぞれ食事療法のメニュー情報が関連付けられている。また、ここで、例えば、問診データに、一被検者の体力状態に係る体力状態情報が含まれていれば、認識部３６７によって、食事療法ＤＢ７Ｄｂから、測定値、目標値および体力状態情報に対応する食事療法のメニュー情報が認識され得る。これにより、被検者の体力状態に応じた食事療法のメニューが被検者側に提供され得る。
【００９５】
検出部３６８は、運動療法ＤＢ８Ｄｂから、測定値と目標値との関係または組合せに対応する運動療法のメニュー情報を検出する。ここで、例えば、問診データに、一被検者の体力状態に係る体力状態情報が含まれていれば、検出部３６８によって、運動療法ＤＢ８Ｄｂから、測定値、目標値および体力状態情報に対応する運動療法のメニュー情報が検出され得る。これにより、被検者の体力状態に応じた運動療法のメニューが被検者側に提供され得る。
【００９６】
評価部３６９は、検査項目について一被検者に係る測定値と基準値とに基づいて、一被検者について検査項目に関する評価が求められる。
【００９７】
＜(１−６−３)一般利用者の端末装置で実現される機能的な構成＞
図８は、一般利用者の端末装置５０〜７０の制御部２６においてプログラムＰ５〜Ｐ７の実行によって実現される機能的な構成を示す図である。ここでは、制御部５６は、実現される機能的な構成として、受付部５６１、送出部５６２、情報要求部５６３、情報取得部５６４および出力制御部５６５を有している。
【００９８】
受付部５６１は、一被検者および該一被検者の関係者の少なくとも一方の動作に応じた信号の入力に応答して、例えば、自己測定値データを受け付ける。ここでは、端末装置５０の入力部２１を介して、一被検者の動作に応じた信号が入力され得る。
【００９９】
送出部５６２は、受付部５６１によって受け付けられた自己測定値データを、ＤＣサーバー３０の記憶部３４に向けて送出する。これにより、自己測定値ＤＢ５Ｄｂが構築される。被検者側における測定で得られた自己測定値データによって、健康状態の改善に係る数値目標が随時更新され得る。
【０１００】
情報要求部５６３は、ＤＣサーバー３０等に対して情報を要求する。例えば、受付部５６１での信号の受け付けに応答して、情報要求部５６３によって、ＤＣサーバー３０の記憶部３４等に記憶されている情報が要求される。
【０１０１】
情報取得部５６４は、ＤＣサーバー３０等から情報を取得する。例えば、情報要求部５６３によって要求された情報が、情報取得部５６４によってＰＨＲ３４１から取得される。具体的には、情報取得部５６４は、一被検者および該一被検者の関係者の少なくとも一方の動作に応じた信号の入力に応答して、記憶部３４から一被検者についての測定値および目標値を取得する部分（値取得部とも言う）としての役割を有している。
【０１０２】
出力制御部５６５は、端末装置５０の出力部５２における情報の出力を制御する。例えば、出力部５２が、一被検者および該一被検者の関係者の少なくとも一方の動作に応じた信号の入力に応答して、一被検者に係る自己測定値を一被検者が認識可能な態様で出力する部分（第２出力部とも言う）としての役割を果たす。また、出力部５２によれば、一被検者および該一被検者の関係者の少なくとも一方の動作に応じた信号の入力に応答して、一被検者が認識可能な態様で一被検者に係る自己測定値が出力される。ここで、上述したように、出力部２２によって、医療従事者の動作に応じた信号の入力に応答して、医療従事者が認識可能な態様で一被検者に係る自己測定値が出力されれば、被検者側における測定で得られた測定データが、被検者側と医療従事者とで共有され得る。
【０１０３】
また、出力部５２が、情報取得部５６４によって取得された測定値および目標値を一被検者および該一被検者の関係者の少なくとも一方が認識可能な態様で出力する。これにより、被検者側において検査の測定値と目標値とが認識されることで、被検者側による健康状態の改善に対するやる気が高められ得る。
【０１０４】
また、出力部５２によって、一被検者の動作に応じた信号の入力に応答して、ＰＨＲ３４１に格納された測定値情報のうちの一被検者に係る複数の測定値に基づく該測定値の経時変化と目標値との関係を示すグラフが可視的に出力される態様が考えられる。このような態様が採用されれば、グラフによって測定値の時間的な変化と目標値との関係が可視的に出力されるため、被検者側において、目標値に対する測定値の推移が容易に認識され得る。
【０１０５】
＜(１−７)健康支援機能に係る画面の表示例と動作フロー＞
図９から図２４は、情報処理システム１の健康支援機能に係る画面の表示例を示す図である。図２５から図３５は、情報処理システム１の健康支援機能に係る動作フローを示すフローチャートである。
【０１０６】
＜(１−７−１)医療機関に属する端末装置における表示例と動作フロー＞
まず、医療機関に属する端末装置２０に対する医療従事者の動作に応答して、制御部２６の制御によって図２５から図３３に示される動作フローが開始される。ここでは、対象としての一被検者が既に指定されている例を挙げて説明する。本動作フローが開始されると、図２５のステップＳ１に進む。
【０１０７】
図２５のステップＳ１では、出力制御部２６４の制御によって、出力部２２にメニュー画面Ｇ１が可視的に出力される。図９は、医療機関の端末装置２０における入力および閲覧に係るメニュー画面Ｇ１を例示する図である。
【０１０８】
メニュー画面Ｇ１には、入力用の項目を指定するための、測定値ボタンｉ１１および目標値・助言ボタンｉ１２が列挙される。また、メニュー画面Ｇ１には、閲覧用の項目を指定するための、測定値一覧ボタンｉ１３、問診ボタンｉ１４、測定値・目標値一覧ボタンｉ１５、評価ボタンｉ１６、食事療法ボタンｉ１７、運動療法ボタンｉ１８および測定値・目標値グラフボタンｉ１９が列挙される。さらに、メニュー画面Ｇ１の右下部に、終了ボタンＥ１が表示される。そして、メニュー画面Ｇ１上においては、例えば、医療従事者の動作に応じた入力部２１からの信号の入力に応答して、マウスポインターＰｔ１が動かされることで、１０個のボタンｉ１〜ｉ１９，Ｅ１のうちの所望のボタンが押下され得る。
【０１０９】
ステップＳ２では、制御部２６の制御によって、メニュー画面Ｇ１における測定値ボタンｉ１１の押下によって測定値の入力が指定されたか否かが判定される。ここでは、測定値ボタンｉ１１の押下によって測定値の入力が指定されれば、ステップＳ３に進み、測定値の入力が指定されていなければ、図２６のステップＳ１１に進む。
【０１１０】
ステップＳ３では、出力制御部２６４の制御によって、出力部２２に測定値入力画面Ｇ２が可視的に出力される。図１０は、測定値入力画面Ｇ２の一部を例示する図である。測定値入力画面Ｇ２では、測定日時に係る１以上の項目に対する情報の入力と、１以上の検査項目に対する測定値の入力とが可能である。測定日時に係る１以上の項目としては、例えば、図１０で示されるように、検査日および測定時刻の２項目が採用され得る。また、糖尿病に係る検査項目が採用される場合には、検査項目に係る１以上の項目としては、例えば、図１０で示されるように、最高血圧、最低血圧、血糖値、ＨｂＡ１ｃ、ＬＤＬコレステロール、ＨＤＬコレステロールおよび中性脂肪の７項目が採用され得る。なお、例えば、糖尿病以外の疾病に関しては、測定値の入力が可能な項目の種類および数が適宜変更され得る。
【０１１１】
測定値入力画面Ｇ２では、例えば、入力部２１に対する医療従事者の動作に応じて、マウスポインターＰｔ１が動かされることで、複数の項目のうちの所望の１項目の入力欄にカーソルが出現し、各入力欄に所望の情報または測定値が記入され得る。なお、このような検査結果についての情報および測定値については、検査装置および検査装置用のコンピューターのうちの少なくとも一方から自動的に入力される構成が採用されても良い。また、測定値入力画面Ｇ２の右下部には、戻るボタンＲ２および決定ボタンＤｃ２が設けられている。
【０１１２】
ステップＳ４では、信号受付部２６１によって、入力部２１からの測定値入力画面Ｇ２に対する各種入力が受け付けられる。
【０１１３】
ステップＳ５では、制御部２６によって、決定ボタンＤｃ２が押下されたか否かが判定される。ここでは、決定ボタンＤｃ２が押下されれば、ステップＳ６に進み、決定ボタンＤｃ２が押下されていなければ、ステップＳ７に進む。
【０１１４】
ステップＳ６では、制御部２６によって、例えば、測定値入力画面Ｇ２の各項目の入力欄に記入された情報が、対象としての一被検者に係る情報として、電子カルテＤＢ１４１に記憶され、ステップＳ１に戻る。これにより、例えば、医療機関を利用する一被検者を検査対象とした医療機関における検査項目に係る測定で得られた測定値を含む電子カルテ情報が第１記憶領域を有する医療サーバー１０に記憶される。このとき、例えば、ＤＣサーバー３０の取得部３６１によって、医療サーバー１０から、一被検者に係る測定値のデータが取得されて、測定値ＤＢ１Ｄｂが構築または更新される。
【０１１５】
ステップＳ７では、制御部２６によって、戻るボタンＲ２が押下されたか否かが判定される。ここでは、戻るボタンＲ２が押下されれば、ステップＳ１に戻り、押下されていなければ、ステップＳ４に戻る。
【０１１６】
図２６のステップＳ１１では、制御部２６の制御によって、メニュー画面Ｇ１における目標値・助言ボタンｉ１２の押下によって目標値と助言の入力が指定されたか否かが判定される。ここでは、目標値・助言ボタンｉ１２の押下によって目標値と助言の入力が指定されれば、ステップＳ１２に進み、測定値の入力が指定されていなければ、図２７のステップＳ２１に進む。
【０１１７】
ステップＳ１２では、出力制御部２６４の制御によって、出力部２２に目標値・助言入力画面Ｇ３が可視的に出力される。このとき、例えば、情報要求部２６２によって医療サーバー１０およびＤＣサーバー３０の少なくとも一方に対して目標値・助言入力画面Ｇ３の表示に必要な測定値データ等が要求される。そして、例えば、情報取得部２６３によって電子カルテＤＢ２４１およびＰＨＲ３４１の少なくとも一方から目標値・助言入力画面Ｇ３の表示に必要な測定値データ等が取得される。
【０１１８】
図１１は、目標値・助言入力画面Ｇ３を例示する図である。図１１で示される目標値・助言入力画面Ｇ３には、検査結果としての測定値を示す測定値表示欄Ａｉ３１、目標値を入力するための目標値入力欄Ａｉ３２および助言を入力するための助言入力欄Ａｉ３３が示される。つまり、医療従事者の動作に応じた信号の入力に応答して、ＰＨＲ３４１等に格納された測定値情報のうちの一被検者に係る測定値が、医療従事者が認識可能な態様で出力され得る。
【０１１９】
測定値表示欄Ａｉ３１には、測定日時に係る１以上の項目に対する情報および１以上の検査項目についての検査結果としての測定値が列挙される。測定日時に係る１以上の項目としては、例えば、図１１で示されるように、検査日および測定時刻の２項目が採用され得る。また、糖尿病に係る検査項目が採用される場合には、１以上の検査項目としては、例えば、図１１で示されるように、最高血圧、最低血圧、血糖値、ＨｂＡ１ｃ、ＬＤＬコレステロール、ＨＤＬコレステロールおよび中性脂肪の７項目が採用され得る。なお、例えば、糖尿病以外の疾病に関しては、表示される検査項目の種類および数が適宜変更され得る。
【０１２０】
目標値入力欄Ａｉ３２では、測定日時に係る１以上の項目に対する情報の入力と１以上の検査項目に対する目標値の入力が可能である。例えば、入力部２１に対する医療従事者の動作に応じて、マウスポインターＰｔ１が動かされることで、複数の項目のうちの所望の１項目の入力欄にカーソルを出現させ、各入力欄に所望の情報または測定値が記入され得る。なお、ここで、測定日時に係る１以上の項目としては、例えば、図１１で示されるように、検査日および測定時刻の２項目が採用され得る。また、糖尿病に係る検査項目が採用される場合には、１以上の検査項目としては、例えば、図１１で示されるように、最高血圧、最低血圧、血糖値、ＨｂＡ１ｃ、ＬＤＬコレステロール、ＨＤＬコレステロールおよび中性脂肪の７項目が採用され得る。なお、例えば、糖尿病以外の疾病に関しては、測定値の入力が可能な項目の種類および数が適宜変更され得る。
【０１２１】
助言入力欄Ａｉ３３には、種別選択部Ｐｄ３、第１選択部Ａｉ３３ａおよび第２選択部Ａｉ３３ｂが含まれる。
【０１２２】
種別選択部Ｐｄ３は、例えば、助言の対象としての種別を選択するための部分であり、例えば、プルダウンリスト等で構成される。種別には、例えば、食事療法および運動療法等が含まれる。種別選択部Ｐｄ３では、例えば、マウスポインターＰｔ１によって、所望の種別を表示させることで、該所望の種別が選択され得る。
【０１２３】
第１選択部Ａｉ３３ａは、例えば、種別選択部Ｐｄ３において選択された種別に応じた複数の選択肢を提示する。図１１には、種別選択部Ｐｄ３で種別として食事療法が選択されている場合における第１選択部Ａｉ３３ａの表示態様が示されている。図１１では、複数の選択肢は、複数の１日当たりのエネルギー摂取量であり、該複数のエネルギー摂取量の表示の左方にそれぞれ設けられたラジオボタンＲｂ３１のマウスポインターＰｔ１による選択的な押下によって、１日当たりのエネルギー摂取量の目標が選択され得る。
【０１２４】
第２選択部Ａｉ３３ｂは、例えば、第１選択部Ａｉ３３ａにおいて選択された目標に応じた複数の選択肢を提示する。図１１には、第１選択部Ａｉ３３ａにおいて１日当たりのエネルギー摂取量の目標として１８００ｋｃａｌが選択されている場合における第２選択部Ａｉ３３ｂの表示態様が示されている。図１１では、第２選択部Ａｉ３３ｂに表示される複数の選択肢は、複数の食事のメニューであり、該複数の食事のメニューの表示の左方にそれぞれ設けられたラジオボタンＲｂ３２のマウスポインターＰｔ１による選択的な押下によって、食事療法に係る食事メニューが選択され得る。また、測定値入力画面Ｇ２の右下部には、戻るボタンＲ３および決定ボタンＤｃ３が設けられている。
【０１２５】
ステップＳ１３では、信号受付部２６１によって、入力部２１からの目標値・助言入力画面Ｇ３に対する各種入力が受け付けられる。ここでは、例えば、目標入力部２６５によって、信号受付部２６１での信号の受付に応答して、検査項目に対する目標値データが入力される。
【０１２６】
具体的には、出力部１２によって測定値が認識可能な態様で出力されている状態で、入力部２１における医療従事者の動作に応じた信号の入力に応答して、目標入力部２６５によって、検査項目について一被検者に対する目標値に係る目標値データが入力される。また、ここでは、例えば、助言入力部２６６によって、出力部２２に測定値と目標値とが可視的に出力された状態における医療従事者の動作に応じた信号の入力に応じて、測定値が目標値に到達するために必要な助言に係る助言データが入力される。
【０１２７】
なお、ここでは、助言決定部３６５によって、検査項目についての測定値と目標値との関係または組合せに応じて、測定値が目標値に到達するために必要な助言に係る助言データが決定されても良い。つまり、ここでは、助言決定部３６５によって、検査項目についての測定値と目標値との関係または組合せ、ならびに出力部２２に測定値と目標値とが可視的に出力された状態における医療従事者の動作に応じた信号の入力、のうちの少なくとも一方に応じて、測定値が目標値に到達するために必要な助言に係る助言データが決定されれば良い。
【０１２８】
ステップＳ１４では、制御部２６によって、決定ボタンＤｃ３が押下されたか否かが判定される。ここでは、決定ボタンＤｃ３が押下されれば、ステップＳ１５に進み、決定ボタンＤｃ３が押下されていなければ、ステップＳ１６に進む。
【０１２９】
ステップＳ１５では、例えば、目標値・助言入力画面Ｇ３で記入された目標値を示す目標値データ、および目標値・助言入力画面Ｇ３で選択された助言を示す助言データ等を含む情報が、電子カルテＤＢ１４１等に記憶され、ステップＳ１に戻る。ここで記憶される助言には、例えば、食事療法に係る食事メニュー等が含まれる。
【０１３０】
ステップＳ１６では、制御部２６によって、戻るボタンＲ３が押下されたか否かが判定される。ここでは、戻るボタンＲ３が押下されれば、ステップＳ１に戻り、押下されていなければ、ステップＳ１３に戻る。
【０１３１】
図２７のステップＳ２１では、制御部２６の制御によって、メニュー画面Ｇ１における測定値一覧ボタンｉ１３の押下によって測定値一覧の閲覧が指定されたか否かが判定される。ここでは、例えば、医療従事者の動作による入力部２１からの信号の入力に応答して、マウスポインターＰｔ１によって測定値一覧ボタンｉ１３が押下される。測定値一覧ボタンｉ１３の押下によって測定値一覧の閲覧が指定されれば、ステップＳ２２に進み、測定値一覧の閲覧が指定されていなければ、図２８のステップＳ３１に進む。
【０１３２】
ステップＳ２２では、出力制御部２６４の制御によって、出力部２２に測定値一覧画面Ｇ４が表示される。このとき、例えば、情報要求部２６２によって医療サーバー１０およびＤＣサーバー３０の少なくとも一方に対して測定値一覧画面Ｇ４の表示に必要な測定値データ等が要求される。そして、情報取得部２６３によって電子カルテＤＢ２４１およびＰＨＲ３４１の少なくとも一方から測定値一覧画面Ｇ４の表示に必要な測定値データ等が取得される。
【０１３３】
図１２は、測定値一覧画面Ｇ４の一部を例示する図である。図１２で示される測定値一覧画面Ｇ４には、検査結果としての複数の測定値の一覧が示されている。測定値一覧画面Ｇ４では、測定日時に係る１以上の項目についての情報、および１以上の検査項目についての検査結果としての測定値が列挙される。測定日時に係る１以上の項目としては、例えば、図１２で示されるように、検査日および測定時刻の２項目が採用され得る。また、糖尿病に係る検査項目が採用される場合には、１以上の検査項目としては、例えば、図１２で示されるように、最高血圧、最低血圧、血糖値、ＨｂＡ１ｃ、ＬＤＬコレステロール、ＨＤＬコレステロールおよび中性脂肪の７項目が採用され得る。なお、例えば、糖尿病以外の疾病に関しては、表示される検査項目の種類および数が適宜変更され得る。これにより、医療従事者は、複数の検査項目についての測定値を容易に確認することができる。また、測定値一覧画面Ｇ４の右下部には、閉じるボタンＣ４が設けられている。
【０１３４】
ステップＳ２３では、制御部２６の制御によって、閉じるボタンＣ４が押下されたか否かが判定される。ここでは、閉じるボタンＣ４が押下されるまで、ステップＳ２３の判定が繰り返され、閉じるボタンＣ４が押下されれば、ステップＳ１に戻る。
【０１３５】
図２８のステップＳ３１では、制御部２６の制御によって、メニュー画面Ｇ１における問診ボタンｉ１４の押下によって問診の閲覧が指定されたか否かが判定される。ここでは、例えば、医療従事者の動作による入力部２１からの信号の入力に応答して、マウスポインターＰｔ１によって問診ボタンｉ１４が押下される。問診ボタンｉ１４の押下によって問診の閲覧が指定されれば、ステップＳ３２に進み、問診の閲覧が指定されていなければ、図２９のステップＳ４１に進む。
【０１３６】
ステップＳ３２では、出力制御部２６４の制御によって、出力部２２に問診結果画面Ｇ５が表示される。このとき、例えば、情報要求部２６２によってＤＣサーバー３０等に対して問診結果画面Ｇ５の表示に必要な問診データ等が要求され、情報取得部２６３によってＰＨＲ３４１等から問診結果画面Ｇ５の表示に必要な問診データが取得される。
【０１３７】
図１３は、問診結果画面Ｇ５の一部を例示する図である。図１３で示される問診結果画面Ｇ５には、問診の結果としての複数の項目に係る問診の結果が列挙された一覧が示されている。これにより、医療従事者は、問診結果の一覧を容易に確認することができる。なお、図１３には、糖尿病に係る問診結果画面Ｇ５の一部が例示されている。また、問診結果画面Ｇ５には、閉じるボタンＣ５が表示される。
【０１３８】
ステップＳ３３では、制御部２６の制御によって、閉じるボタンＣ５が押下されたか否かが判定される。ここでは、閉じるボタンＣ５が押下されるまで、ステップＳ３３の判定が繰り返され、閉じるボタンＣ５が押下されれば、ステップＳ１に戻る。
【０１３９】
図２９のステップＳ４１では、制御部２６の制御によって、メニュー画面Ｇ１における測定値・目標値一覧ボタンｉ１５の押下によって測定値と目標値の一覧の閲覧が指定されたか否かが判定される。ここでは、例えば、医療従事者の動作による入力部２１からの信号の入力に応答して、マウスポインターＰｔ１によって測定値・目標値一覧ボタンｉ１５が押下される。測定値・目標値一覧ボタンｉ１５の押下によって測定値と目標値の一覧の閲覧が指定されれば、ステップＳ４２に進み、測定値と目標値の一覧の閲覧が指定されていなければ、図３０のステップＳ５１に進む。
【０１４０】
ステップＳ４２では、出力制御部２６４の制御によって、出力部２２に測定値・目標値一覧画面Ｇ６が表示される。このとき、例えば、情報要求部２６２によってＤＣサーバー３０等に対して測定値・目標値一覧画面Ｇ６の表示に必要な測定値データおよび目標値データが要求される。そして、情報取得部２６３によってＤＣサーバー３０等から測定値・目標値一覧画面Ｇ６の表示に必要な測定値データおよび目標値データが取得される。
【０１４１】
図１４は、測定値・目標値一覧画面Ｇ６の一部を例示する図である。図１４で示される測定値・目標値一覧画面Ｇ６には、測定結果としての複数の検査項目に係る測定値の一覧を示す測定値表示欄Ａｉ６１、および複数の検査項目に係る目標値の一覧を示す目標値表示欄Ａｉ６２が設けられている。
【０１４２】
測定値表示欄Ａｉ６１には、測定日時に係る１以上の項目についての情報および１以上の検査項目についての検査結果としての測定値が列挙される。また、目標値表示欄Ａｉ６２には、測定日時に係る１以上の項目についての情報および１以上の検査項目についての目標値が列挙される。測定日時に係る１以上の項目としては、例えば、図１４で示されるように、検査日および測定時刻の２項目が採用され得る。また、糖尿病に係る検査項目が採用される場合には、１以上の検査項目としては、例えば、図１４で示されるように、最高血圧、最低血圧、血糖値、ＨｂＡ１ｃ、ＬＤＬコレステロール、ＨＤＬコレステロールおよび中性脂肪の７項目が採用され得る。これにより、医療従事者は、複数の検査項目についての目標値を容易に確認することができる。なお、例えば、糖尿病以外の疾病に関しては、表示される検査項目の種類および数が適宜変更され得る。また、測定値・目標値一覧画面Ｇ６の右下部には、閉じるボタンＣ６が設けられている。
【０１４３】
ステップＳ４３では、制御部２６の制御によって、閉じるボタンＣ６が押下されたか否かが判定される。ここでは、閉じるボタンＣ６が押下されるまで、ステップＳ４３の判定が繰り返され、閉じるボタンＣ６が押下されれば、ステップＳ１に戻る。
【０１４４】
図３０のステップＳ５１では、制御部２６の制御によって、メニュー画面Ｇ１における評価ボタンｉ１６の押下によって評価の閲覧が指定されたか否かが判定される。ここでは、例えば、医療従事者の動作による入力部２１からの信号の入力に応答して、マウスポインターＰｔ１によって評価ボタンｉ１６が押下される。評価ボタンｉ１６の押下によって評価の閲覧が指定されれば、ステップＳ５２に進み、評価の閲覧が指定されていなければ、図３１のステップＳ６１に進む。
【０１４５】
ステップＳ５２では、出力制御部２６４の制御によって、出力部２２に評価画面Ｇ７が表示される。このとき、例えば、情報要求部２６２によってＤＣサーバー３０等に対して評価画面Ｇ７の表示に必要な評価データが要求され、情報取得部２６３によってＤＣサーバー３０等から評価画面Ｇ７の表示に必要な評価データが取得される。
【０１４６】
図１５は、評価画面Ｇ７の一部を例示する図である。図１５で示される評価画面Ｇ７には、検査結果としての測定値についての評価結果が示されている。図１５では、２つの検査項目（ＨｂＡ１ｃおよび体重）についての検査結果としての測定値に関する評価結果が示されている。つまり、血圧のコントロールに関する評価ならびに体重のコントロールに関する評価が示されている。そして、評価画面Ｇ７では、今回の測定値の位置づけと目標値との関係が、可視的に分かり易く表示される。これにより、医療従事者は、測定値と目標値との関係を容易に認識することができる。また、評価画面Ｇ７の右下部には、閉じるボタンＣ７が設けられている。
【０１４７】
ステップＳ５３では、制御部２６の制御によって、閉じるボタンＣ７が押下されたか否かが判定される。ここでは、閉じるボタンＣ７が押下されるまで、ステップＳ５３の判定が繰り返され、閉じるボタンＣ７が押下されれば、ステップＳ１に戻る。
【０１４８】
図３１のステップＳ６１では、制御部２６の制御によって、メニュー画面Ｇ１における食事療法ボタンｉ１７の押下によって食事療法の閲覧が指定されたか否かが判定される。ここでは、例えば、医療従事者の動作による入力部２１からの信号の入力に応答して、マウスポインターＰｔ１によって食事療法ボタンｉ１７が押下される。食事療法ボタンｉ１７の押下によって食事療法の閲覧が指定されれば、ステップＳ６２に進み、食事療法の閲覧が指定されていなければ、図３２のステップＳ７１に進む。
【０１４９】
ステップＳ６２では、出力制御部２６４の制御によって、出力部２２に食事療法画面Ｇ８が表示される。このとき、例えば、情報要求部２６２によってＤＣサーバー３０等に対して食事療法画面Ｇ８の表示に必要な助言データ等が要求され、情報取得部２６３によってＤＣサーバー３０等から食事療法画面Ｇ８の表示に必要な助言データ等が取得される。
【０１５０】
図１６は、食事療法画面Ｇ８の一部を例示する図である。図１６で示される食事療法画面Ｇ８には、一被検者に対する助言としての食事療法についての食事メニューが示されている。図１６で示される食事療法画面Ｇ８には、食事療法のメニューが、文字だけでなく、写真付きで紹介されている例が示されている。これにより、医療従事者は、一被検者についての食事療法の内容を容易に確認することができる。また、食事療法画面Ｇ８で示される助言には、例えば、ひとくちメモ等の食事療法のポイントを示す助言が含まれ得る。また、食事療法画面Ｇ８の右下部には、閉じるボタンＣ８が設けられている。
【０１５１】
ステップＳ６３では、制御部２６の制御によって、閉じるボタンＣ８が押下されたか否かが判定される。ここでは、閉じるボタンＣ８が押下されるまで、ステップＳ６３の判定が繰り返され、閉じるボタンＣ８が押下されれば、ステップＳ１に戻る。
【０１５２】
図３２のステップＳ７１では、制御部２６の制御によって、メニュー画面Ｇ１における運動療法ボタンｉ１８の押下によって運動療法の閲覧が指定されたか否かが判定される。ここでは、例えば、医療従事者の動作による入力部２１からの信号の入力に応答して、マウスポインターＰｔ１によって運動療法ボタンｉ１８が押下される。運動療法ボタンｉ１８の押下によって運動療法の閲覧が指定されれば、ステップＳ７２に進み、運動療法の閲覧が指定されていなければ、図３３のステップＳ８１に進む。
【０１５３】
ステップＳ７２では、出力制御部２６４の制御によって、出力部２２に運動療法画面Ｇ９が表示される。このとき、例えば、情報要求部２６２によってＤＣサーバー３０等に対して運動療法画面Ｇ９の表示に必要な助言データ等が要求され、情報取得部２６３によってＤＣサーバー３０等から運動療法画面Ｇ９の表示に必要な助言データ等が取得される。
【０１５４】
図１７は、運動療法画面Ｇ９の一部を例示する図である。図１７で示される運動療法画面Ｇ９には、一被検者に対する助言としての運動療法についての運動メニューが示されている。図１７で示される運動療法画面Ｇ９には、運動療法のメニューが、文字だけでなく、イラスト付きで紹介されている例が示されている。これにより、医療従事者は、一被検者についての運動療法の内容を容易に確認することができる。また、運動療法画面Ｇ９の右下部には、閉じるボタンＣ９が設けられている。
【０１５５】
ステップＳ７３では、制御部２６の制御によって、閉じるボタンＣ９が押下されたか否かが判定される。ここでは、閉じるボタンＣ９が押下されるまで、ステップＳ７３の判定が繰り返され、閉じるボタンＣ９が押下されれば、ステップＳ１に戻る。
【０１５６】
図３３のステップＳ８１では、制御部２６の制御によって、メニュー画面Ｇ１における測定値・目標値グラフボタンｉ１９の押下によって測定値および目標値のグラフの閲覧が指定されたか否かが判定される。ここでは、例えば、医療従事者の動作による入力部２１からの信号の入力に応答して、マウスポインターＰｔ１によって測定値・目標値グラフボタンｉ１９が押下される。測定値・目標値グラフボタンｉ１９の押下によって測定値および目標値のグラフの閲覧が指定されれば、ステップＳ８２に進み、測定値および目標値のグラフの閲覧が指定されていなければ、ステップＳ８３に進む。
【０１５７】
ステップＳ８２では、出力制御部２６４の制御によって、出力部２２に測定値・目標値グラフ画面Ｇ１０が表示される。ここでは、例えば、情報要求部２６２によってＤＣサーバー３０等に対して測定値・目標値グラフ画面Ｇ１１の表示に必要なデータ等が要求される。この要求に対し、例えば、グラフ生成部３６６で、測定値ＤＢ１Ｄｂおよび目標値ＤＢ２Ｄｂの情報、ならびにグラフ生成ルール３４２に基づいて、一被検者に係る複数の測定値に基づく測定値の経時変化と目標値との関係を示すグラフデータが生成される。そして、該グラフデータが、情報取得部２６３によってＤＣサーバー３０等から取得される。
【０１５８】
図１８は、測定値・目標値グラフ画面Ｇ１０の表示例を示す図である。図１８では、左部に一被検者について複数のタイミングで取得された最高血圧の測定値および該測定値に対する目標値が記されたテーブルが示されており、右部に一被検者についての最高血圧の測定値の経時変化と目標値との関係を示すグラフが示されている。これにより、医療従事者は、一被検者についての最高血圧の測定値とその目標値との関係の推移を容易に確認することができる。
【０１５９】
なお、図１８では、目標値に、目標値の最大値と目標値の最小値とが含まれる例が示されている。この場合、目標値の最大値と目標値の最小値とによって値域が規定されている。このように、例えば、目標値に最大値と最小値とが存在する場合には、測定値が目標値に到達するとは、目標値の最大値および目標値の最小値のうちの現在の測定値から相対的に近い方の値に到達することを意味する。なお、目標値に最大値と最小値とが存在する場合には、別の観点から言えば、目標値は、目標値の最大値と目標値の最小値とで規定される値域を含むものであるとみなしても良い。
【０１６０】
また、図１８では、目標値の最大値が破線で示され、目標値の最小値が一点鎖線で示され、測定値の経時的な変化が実線で示されている。また、測定値・目標値グラフ画面Ｇ１０では、左下方に切替ボタンＣｈ１〜Ｃｈ４が表示され、右下方の部分に閉じるボタンＣ１０が表示される。なお、測定値・目標値グラフ画面Ｇ１０では、切替ボタンＣｈ１〜Ｃｈ４のうち、出力部２２で可視的に出力されている測定値・目標値グラフ画面Ｇ１０そのものに対応する切替ボタンＣｈ１の押下が禁止されている。
【０１６１】
ステップＳ８３では、制御部２６の制御によって、メニュー画面Ｇ１の終了ボタンＥ１が押下されたか否かが判定される。ここで、終了ボタンＥ１が押下されていなければ、ステップＳ１に戻り、終了ボタンＥ１が押下されれば、本動作フローが終了される。
【０１６２】
ステップＳ８４では、制御部２６の制御によって、切替ボタンＣｈ１〜Ｃｈ４のうちの何れか１つのボタンが押下されたか否かが判定される。ここで、切替ボタンＣｈ１〜Ｃｈ４のうち、出力部２２に可視的に出力されている測定値・目標値グラフ画面とは異なる測定値・目標値グラフ画面に対応する１つのボタンが押下されていれば、ステップＳ８５に進む。一方、切替ボタンＣｈ１〜Ｃｈ４のうち、出力部２２に可視的に出力されている測定値・目標値グラフ画面とは異なる測定値・目標値グラフ画面に対応する１つのボタンが押下されていなければ、ステップＳ８６に進む。
【０１６３】
ステップＳ８５では、出力制御部２６の制御によって、出力部２２に表示されている測定値・目標値グラフ画面が、切替ボタンＣｈ１〜Ｃｈ４のうちの押下された切替ボタンに対応する測定値・目標値グラフ画面に切り替えられる。
【０１６４】
例えば、切替ボタンＣｈ２の押下に応答して、図１９に示されるような測定値・目標値グラフ画面Ｇ１１が出力部２２に可視的に出力される。また、例えば、切替ボタンＣｈ３の押下に応答して、図２０に示されるような測定値・目標値グラフ画面Ｇ１２が出力部２２に可視的に出力される。また、例えば、切替ボタンＣｈ４の押下に応答して、図２１に示されるような測定値・目標値グラフ画面Ｇ１３が出力部２２に可視的に出力される。なお、図１８から図２１で示される測定値・目標値グラフ画面Ｇ１０〜Ｓ１３上では、例えば、医療従事者の動作による入力部２１からの信号の入力に応答して、マウスポインターＰｔ１によって、各種ボタンが押下される。
【０１６５】
図１９は、測定値・目標値グラフ画面Ｇ１１の表示例を示す図である。図１９では、左部に一被検者について複数のタイミングで取得された最低血圧の測定値および該測定値に対する目標値が記されたテーブルが示されており、右部に一被検者についての最低血圧の測定値の経時変化と目標値との関係を示すグラフが示されている。これにより、医療従事者は、一被検者についての最低血圧の測定値とその目標値との関係の推移を容易に確認することができる。なお、図１９で示される例では、図１８と同様に、目標値に、目標値の最大値と目標値の最小値とが含まれる。また、図１９でも、図１８と同様に、目標値の最大値が破線で示され、目標値の最小値が一点鎖線で示され、測定値の経時的な変化が実線で示されている。また、測定値・目標値グラフ画面Ｇ１１では、測定値・目標値グラフ画面Ｇ１０と同様に、左下方に切替ボタンＣｈ１〜Ｃｈ４が表示され、右下方の部分に閉じるボタンＣ１０が表示される。なお、測定値・目標値グラフ画面Ｇ１１では、切替ボタンＣｈ１〜Ｃｈ４のうち、出力部２２に可視的に出力されている測定値・目標値グラフ画面Ｇ１１そのものに対応する切替ボタンＣｈ２の押下が禁止されている。
【０１６６】
図２０は、測定値・目標値グラフ画面Ｇ１２の表示例を示す図である。図２０では、左部に一被検者について複数のタイミングで取得された血糖値の測定値および該測定値に対する目標値が記されたテーブルが示されており、右部に一被検者についての血糖値の測定値の経時変化と目標値との関係を示すグラフが示されている。これにより、医療従事者は、一被検者についての血糖値の測定値とその目標値との関係の推移を容易に確認することができる。なお、図２０で示される例でも、図１８および図１９と同様に、目標値に、目標値の最大値と目標値の最小値とが含まれる例が示されている。また、図２０でも、図１８および図１９と同様に、目標値の最大値が破線で示され、目標値の最小値が一点鎖線で示され、測定値の経時的な変化が実線で示されている。また、測定値・目標値グラフ画面Ｇ１２では、測定値・目標値グラフ画面Ｇ１０，Ｇ１１と同様に、左下方に切替ボタンＣｈ１〜Ｃｈ４が表示され、右下方の部分に閉じるボタンＣ１０が表示される。なお、測定値・目標値グラフ画面Ｇ１２では、切替ボタンＣｈ１〜Ｃｈ４のうち、出力部２２に可視的に出力されている測定値・目標値グラフ画面Ｇ１２そのものに対応する切替ボタンＣｈ３の押下が禁止されている。
【０１６７】
図２１は、測定値・目標値グラフ画面Ｇ１３の表示例を示す図である。図２１では、左部に一被検者について複数のタイミングで取得されたＨｂＡ１ｃの測定値および該測定値に対する目標値が記されたテーブルが示されており、右部に一被検者についてのＨｂＡ１ｃの測定値の経時変化と目標値との関係を示すグラフが示されている。これにより、医療従事者は、一被検者についてのＨｂＡ１ｃの測定値とその目標値との関係の推移を容易に確認することができる。なお、図２１で示される例でも、図１８から図２０と同様に、目標値に、目標値の最大値と目標値の最小値とが含まれる例が示されている。また、図２１でも、図１８から図２０と同様に、目標値の最大値が破線で示され、目標値の最小値が一点鎖線で示され、測定値の経時的な変化が実線で示されている。また、測定値・目標値グラフ画面Ｇ１３では、測定値・目標値グラフ画面Ｇ１０〜Ｇ１２と同様に、左下方に切替ボタンＣｈ１〜Ｃｈ４が表示され、右下方の部分に閉じるボタンＣ１０が表示される。なお、測定値・目標値グラフ画面Ｇ１３では、切替ボタンＣｈ１〜Ｃｈ４のうち、出力部２２に可視的に出力されている測定値・目標値グラフ画面Ｇ１３そのものに対応する切替ボタンＣｈ４の押下が禁止されている。
【０１６８】
ステップＳ８６では、制御部２６の制御によって、閉じるボタンＣ１０が押下されたか否かが判定される。ここでは、閉じるボタンＣ１０が押下されていなければ、ステップＳ８４に戻り、閉じるボタンＣ１０が押下されれば、ステップＳ１に戻る。
【０１６９】
＜(１−７−２)一般利用者の端末装置における表示例と動作フロー＞
一般利用者の端末装置５０〜７０に対する一般利用者の動作に応答して、制御部５６の制御によって、図２７から図３５に示される動作フローが開始される。ここでは、ログイン等によって、対象としての一被検者が既に指定されている例を挙げて説明する。なお、本動作フローが開始されると、図３４のステップＳ９１に進む。
【０１７０】
ところで、図３４および図３５で示される一般利用者の端末装置５０〜７０においてデータを入力および記憶するための動作フローは、上述した医療機関の端末装置２０においてデータを入力および記憶するための動作フロー（図２５および図２６）とは大きく異なる。これに対し、一般利用者の端末装置５０〜７０における各種データの閲覧のための表示例と動作フローは、上述した医療機関の端末装置２０における各種データの閲覧のための表示例と動作フロー（図２７から図３３）と類似したものとなる。このため、ここでは、図２７から図３５を用いて、一般利用者の端末装置５０〜７０における表示例と動作フローとについて説明することで、説明の重複を低減する。
【０１７１】
図３４のステップＳ９１では、出力制御部５６５の制御によって、出力部５２にメニュー画面Ｇ１４が可視的に出力される。図２２は、一般利用者の端末装置５０〜７０における入力および閲覧に係るメニュー画面Ｇ１４を例示する図である。メニュー画面Ｇ１４には、入力用の項目を指定するための、問診ボタンｉ１４１および自己測定値ボタンｉ１４２が列挙される。また、メニュー画面Ｇ１４には、閲覧用の項目を指定するための、測定値一覧ボタンｉ１４３、問診ボタンｉ１４４、測定値・目標値一覧ボタンｉ１４５、評価ボタンｉ１４６、食事療法ボタンｉ１４７、運動療法ボタンｉ１４８および測定値・目標値グラフボタンｉ１４９が列挙される。さらに、メニュー画面Ｇ１４の右下の部分に終了ボタンＥ１４が表示される。そして、メニュー画面Ｇ１４上においては、例えば、一般利用者の動作による入力部５１からの信号の入力に応答して、マウスポインターＰｔ１を動かすことで、１０個のボタンｉ１４１〜ｉ１４９，Ｅ１のうちの所望のボタンが押下され得る。一般利用者には、一被検者および該一被検者の関係者の少なくとも一方が含まれる。
【０１７２】
ステップＳ９２では、制御部５６の制御によって、メニュー画面Ｇ１４における問診ボタンｉ１４１の押下によって問診の入力が指定されたか否かが判定される。ここでは、問診ボタンｉ１４１の押下によって問診の入力が指定されれば、ステップＳ９３に進み、問診の入力が指定されていなければ、図３５のステップＳ１０１に進む。
【０１７３】
ステップＳ９３では、出力制御部５６５の制御によって、出力部５２に問診入力画面Ｇ１５が可視的に出力される。
【０１７４】
図２３には、糖尿病に係る問診入力画面Ｇ１５の一例が示されている。図２３で例示される問診入力画面Ｇ１５では、４項目の個人情報（生年月日、性別、メールアドレス、身長）の記入ならびに２項目の問診（問診１、問診２）に対する回答が可能である。例えば、入力部５１に対する一般利用者の動作に応じて、マウスポインターＰｔ１が動かされることで、４項目の個人情報の記入欄のうちの所望の１項目の記入欄にカーソルを出現させ、各記入欄に所望の情報が記入され得る。また、問診１については、例えば、１つの質問に対して複数（図２３では３つ）の選択肢の左方にそれぞれ設けられたラジオボタンＲｂ１５ａのマウスポインターＰｔ１による選択的な押下によって、１つの選択肢が指定され得る。また、問診２についても、問診１と同様に、例えば、１つの質問に対して複数（図２３では５つ）の選択肢の左方にそれぞれ設けられたラジオボタンＲｂ１５ｂのマウスポインターＰｔ１による選択的な押下によって、１つの選択肢が指定され得る。なお、例えば、糖尿病以外の疾病については、問診入力画面における問診に係る項目の種類および数が適宜変更され得る。
【０１７５】
また、問診入力画面Ｇ１５の右下部には、戻るボタンＲ１５および決定ボタンＤｃ１５が設けられている。
【０１７６】
ステップＳ９４では、受付部５６１によって、入力部５１からの問診入力画面Ｇ１５に対する各種入力が受け付けられる。
【０１７７】
ステップＳ９５では、制御部５６によって、決定ボタンＤｃ１５が押下されたか否かが判定される。ここでは、決定ボタンＤｃ１５が押下されれば、ステップＳ９６に進み、決定ボタンＤｃ１５が押下されていなければ、ステップＳ９７に進む。
【０１７８】
ステップＳ９６では、制御部５６によって、例えば、問診入力画面Ｇ１５で記入および指定された情報が、対象としての一被検者に係る情報として、ＰＨＲ３４１等に記憶され、ステップＳ９１に戻る。これにより、例えば、記憶部３４には、一被検者および該一被検者の関係者の少なくとも一方の動作に応じた信号の入力に応答して、問診の結果に係る問診データが記憶される。
【０１７９】
ステップＳ９７では、制御部５６によって、戻るボタンＲ１５が押下されたか否かが判定される。ここでは、戻るボタンＲ１５が押下されれば、ステップＳ９１に戻り、押下されていなければ、ステップＳ９４に戻る。
【０１８０】
図３５のステップＳ１０１では、制御部５６の制御によって、メニュー画面Ｇ１４における自己測定値ボタンｉ１４２の押下によって自己測定値の入力が指定されたか否かが判定される。ここでは、自己測定値ボタンｉ１４２の押下によって自己測定値の入力が指定されれば、ステップＳ１０２に進み、自己測定値の入力が指定されていなければ、図２７のステップＳ１２１に進む。
【０１８１】
ステップＳ１０２では、出力制御部５６５の制御によって、出力部５２に自己測定値入力画面Ｇ１６が可視的に出力される。図２４は、自己測定値入力画面Ｇ１６の一部を例示する図である。自己測定値入力画面Ｇ１６では、登録日に係る項目に対する情報の入力と、１以上の検査項目に対する自己測定値の入力とが可能である。糖尿病に係る検査項目が採用される場合には、１以上の検査項目としては、例えば、図２４で示されるように、最高血圧、最低血圧、脈拍、体重、体脂肪、血糖値、歩数の７項目が採用され得る。なお、例えば、糖尿病以外の疾病に関しては、自己測定値の入力が可能な項目の種類および数が適宜変更され得る。自己測定値入力画面Ｇ１６では、例えば、入力部５１に対する一般利用者の動作に応じて、マウスポインターＰｔ１が動かされることで、複数の項目のうちの所望の１項目の入力欄にカーソルが出現し、各入力欄に所望の情報または測定値が記入され得る。また、自己測定値入力画面Ｇ１６の右下部には、戻るボタンＲ１６および決定ボタンＤｃ１６が設けられている。
【０１８２】
ステップＳ１０３では、受付部５６１によって、入力部５１からの自己測定値入力画面Ｇ１６に対する各種入力が受け付けられる。
【０１８３】
ステップＳ１０４では、制御部５６によって、決定ボタンＤｃ１６が押下されたか否かが判定される。ここでは、決定ボタンＤｃ１６が押下されれば、ステップＳ１０５に進み、決定ボタンＤｃ１６が押下されていなければ、ステップＳ１０６に進む。
【０１８４】
ステップＳ１０５では、制御部５６によって、例えば、自己測定値入力画面Ｇ１６の各項目の入力欄に記入された情報が、対象としての一被検者に係る情報として、ＰＨＲ３４１に記憶され、ステップＳ９１に戻る。これにより、例えば、一被検者および該一被検者の関係者の少なくとも一方の動作に応じた信号の入力に応答して、測定値データが第２記憶領域としての記憶部３４に記憶され得る。
【０１８５】
ステップＳ１０６では、制御部５６によって、戻るボタンＲ１６が押下されたか否かが判定される。ここでは、戻るボタンＲ１６が押下されれば、ステップＳ９１に戻り、押下されていなければ、ステップＳ１０３に戻る。
【０１８６】
図２７のステップＳ１２１では、制御部５６の制御によって、メニュー画面Ｇ１４における測定値一覧ボタンｉ１４３の押下によって測定値一覧の閲覧が指定されたか否かが判定される。ここでは、例えば、一般利用者の動作による入力部５１からの信号の入力に応答して、マウスポインターＰｔ１によって測定値一覧ボタンｉ１４３が押下される。測定値一覧ボタンｉ１４３の押下によって測定値一覧の閲覧が指定されれば、ステップＳ１２２に進み、測定値一覧の閲覧が指定されていなければ、図２８のステップＳ１３１に進む。
【０１８７】
ステップＳ１２２では、出力制御部５６５の制御によって、出力部５２に測定値一覧画面Ｇ４（図１２）が表示される。これにより、一般利用者は、複数の検査項目についての測定値を、容易に把握することができる。そして、その結果、一般利用者と医療従事者との間における情報を共有化が促進され得る。ここでは、例えば、情報要求部５６３によってＤＣサーバー３０等に対して測定値一覧画面の表示に必要な測定値データ等が要求され、情報取得部５６４によってＤＣサーバー３０等から測定値一覧画面Ｇ４の表示に必要な測定値データ等が取得される。
【０１８８】
ステップＳ１２３では、制御部５６の制御によって、閉じるボタンＣ４が押下されたか否かが判定される。ここでは、閉じるボタンＣ４が押下されるまで、ステップＳ１２３の判定が繰り返され、閉じるボタンＣ４が押下されれば、図３４のステップＳ９１に戻る。
【０１８９】
図２８のステップＳ１３１では、制御部５６の制御によって、メニュー画面Ｇ１４における問診ボタンｉ１４４の押下によって問診の閲覧が指定されたか否かが判定される。ここでは、例えば、一般利用者の動作による入力部５１からの信号の入力に応答して、マウスポインターＰｔ１によって問診ボタンｉ１４４が押下される。問診ボタンｉ１４４の押下によって問診の閲覧が指定されれば、ステップＳ１３２に進み、問診の閲覧が指定されていなければ、図２９のステップＳ１４１に進む。
【０１９０】
ステップＳ１３２では、出力制御部５６５の制御によって、出力部５２に問診結果画面Ｇ５（図１３）が表示される。このため、一般利用者は、問診結果の一覧を容易に把握することができる。これにより、一般利用者と医療従事者との間における情報の共有化が促進され得る。ここでは、例えば、情報要求部５６３によってＤＣサーバー３０等に対して問診結果画面Ｇ５の表示に必要な問診データ等が要求され、情報取得部５６４によってＤＣサーバー３０等から問診結果画面Ｇ５の表示に必要な問診データ等が取得される。なお、問診結果画面Ｇ５には、閉じるボタンＣ５が表示される。
【０１９１】
ステップＳ１３３では、制御部５６の制御によって、閉じるボタンＣ５が押下されたか否かが判定される。ここでは、閉じるボタンＣ５が押下されるまで、ステップＳ１３３の判定が繰り返され、閉じるボタンＣ５が押下されれば、図３４のステップＳ９１に戻る。
【０１９２】
図２９のステップＳ１４１では、制御部５６の制御によって、メニュー画面Ｇ１４における測定値・目標値一覧ボタンｉ１４５の押下によって測定値と目標値の一覧の閲覧が指定されたか否かが判定される。ここでは、例えば、一般利用者の動作による入力部５１からの信号の入力に応答して、マウスポインターＰｔ１によって測定値・目標値一覧ボタンｉ１４５が押下される。測定値・目標値一覧ボタンｉ１４５の押下によって測定値と目標値の一覧の閲覧が指定されれば、ステップＳ１４２に進み、測定値と目標値の一覧の閲覧が指定されていなければ、図３０のステップＳ１５１に進む。
【０１９３】
ステップＳ１４２では、出力制御部５６５の制御によって、出力部５２に測定値・目標値一覧画面Ｇ６（図１４）が表示される。このため、一般利用者は、複数の検査項目についての測定値を容易に把握することができる。これにより、測定値の改善に向けた一般利用者のモチベーションが容易に高まり得る。ここで、例えば、情報要求部５６３によってＤＣサーバー３０等に対して測定値・目標値一覧画面Ｇ６の表示に必要な測定値データおよび目標値データが要求され、情報取得部５６４によってＤＣサーバー３０等から測定値・目標値一覧画面Ｇ６の表示に必要な測定値データおよび目標値データ等が取得される。なお、測定値・目標値一覧画面Ｇ６の右下部には、閉じるボタンＣ６が設けられている。
【０１９４】
ステップＳ１４３では、制御部５６の制御によって、閉じるボタンＣ６が押下されたか否かが判定される。ここでは、閉じるボタンＣ６が押下されるまで、ステップＳ１４３の判定が繰り返され、閉じるボタンＣ６が押下されれば、図３４のステップＳ９１に戻る。
【０１９５】
図３０のステップＳ１５１では、制御部５６の制御によって、メニュー画面Ｇ１４における評価ボタンｉ１４６の押下によって評価の閲覧が指定されたか否かが判定される。ここでは、例えば、一般利用者の動作による入力部５１からの信号の入力に応答して、マウスポインターＰｔ１によって評価ボタンｉ１４６が押下される。評価ボタンｉ１４６の押下によって評価の閲覧が指定されれば、ステップＳ１５２に進み、評価の閲覧が指定されていなければ、図３１のステップＳ１６１に進む。
【０１９６】
ステップＳ１５２では、出力制御部５６５の制御によって、出力部５２に評価画面Ｇ７（図１５）が表示される。評価画面Ｇ７では、今回の測定値の位置づけと目標値との関係が、可視的に分かり易く表示されるため、一般利用者は、測定値と目標値との関係を容易に把握することができる。これにより、測定値の改善に向けた一般利用者のモチベーションが容易に高まり得る。ここで、例えば、情報要求部５６３によってＤＣサーバー３０等に対して評価画面Ｇ７の表示に必要な評価データが要求され、情報取得部５６４によってＤＣサーバー３０等から評価画面Ｇ７の表示に必要な評価データが取得される。また、評価画面Ｇ７の右下部には、閉じるボタンＣ７が設けられている。
【０１９７】
ステップＳ１５３では、制御部５６の制御によって、閉じるボタンＣ７が押下されたか否かが判定される。ここでは、閉じるボタンＣ７が押下されるまで、ステップＳ１５３の判定が繰り返され、閉じるボタンＣ７が押下されれば、図３４のステップＳ９１に戻る。
【０１９８】
図３１のステップＳ１６１では、制御部５６の制御によって、メニュー画面Ｇ１４における食事療法ボタンｉ１４７の押下によって食事療法の閲覧が指定されたか否かが判定される。ここでは、例えば、一般利用者の動作による入力部５１からの信号の入力に応答して、マウスポインターＰｔ１によって食事療法ボタンｉ１４７が押下される。食事療法ボタンｉ１４７の押下によって食事療法の閲覧が指定されれば、ステップＳ１６２に進み、食事療法の閲覧が指定されていなければ、図３２のステップＳ１７１に進む。
【０１９９】
ステップＳ１６２では、出力制御部５６５の制御によって、出力部５２に食事療法画面Ｇ８（図１６）が表示される。食事療法画面Ｇ８において、食事療法のメニューが、文字だけでなく、写真付き等の種々の可視的な態様で紹介されていれば、一般利用者は一被検者についての食事療法の内容を容易に把握することができる。ここで、例えば、情報要求部５６３によってＤＣサーバー３０等に対して食事療法画面Ｇ８の表示に必要な助言データ等が要求され、情報取得部５６４によってＤＣサーバー３０等から食事療法画面Ｇ８の表示に必要な助言データ等が取得される。また、食事療法画面Ｇ８の右下部には、閉じるボタンＣ８が設けられている。
【０２００】
ステップＳ１６３では、制御部５６の制御によって、閉じるボタンＣ８が押下されたか否かが判定される。ここでは、閉じるボタンＣ８が押下されるまで、ステップＳ１６３の判定が繰り返され、閉じるボタンＣ８が押下されれば、図３４のステップＳ９１に戻る。
【０２０１】
図３２のステップＳ１７１では、制御部５６の制御によって、メニュー画面Ｇ１４における運動療法ボタンｉ１４８の押下によって運動療法の閲覧が指定されたか否かが判定される。ここでは、例えば、一般利用者の動作による入力部５１からの信号の入力に応答して、マウスポインターＰｔ１によって運動療法ボタンｉ１４８が押下される。運動療法ボタンｉ１４８の押下によって運動療法の閲覧が指定されれば、ステップＳ１７２に進み、運動療法の閲覧が指定されていなければ、図３３のステップＳ１８１に進む。
【０２０２】
ステップＳ１７２では、出力制御部５６５の制御によって、出力部５２に運動療法画面Ｇ９（図１７）が表示される。運動療法画面Ｇ９では、運動療法のメニューが、文字だけでなく、イラスト付き等の種々の可視的な態様で紹介されていれば、一般利用者は、一被検者についての運動療法の内容を容易に把握することができる。ここで、例えば、情報要求部５６３によってＤＣサーバー３０等に対して運動療法画面Ｇ９の表示に必要な助言データ等が要求され、情報取得部５６４によってＤＣサーバー３０等から運動療法画面Ｇ９の表示に必要な助言データ等が取得される。また、運動療法画面Ｇ９の右下部には、閉じるボタンＣ９が設けられている。
【０２０３】
ステップＳ１７３では、制御部５６の制御によって、閉じるボタンＣ９が押下されたか否かが判定される。ここでは、閉じるボタンＣ９が押下されるまで、ステップＳ１７３の判定が繰り返され、閉じるボタンＣ９が押下されれば、図３４のステップＳ９１に戻る。
【０２０４】
図３３のステップＳ１８１では、制御部５６の制御によって、メニュー画面Ｇ１４における測定値・目標値グラフボタンｉ１４９の押下によって測定値および目標値のグラフの閲覧が指定されたか否かが判定される。ここでは、例えば、一般利用者の動作による入力部５１からの信号の入力に応答して、マウスポインターＰｔ１によって測定値・目標値グラフボタンｉ１４９が押下される。測定値・目標値グラフボタンｉ１４９の押下によって測定値および目標値のグラフの閲覧が指定されれば、ステップＳ１８２に進み、測定値および目標値のグラフの閲覧が指定されていなければ、ステップＳ１８３に進む。
【０２０５】
ステップＳ１８２では、出力制御部５６５の制御によって、出力部５２に測定値・目標値グラフ画面Ｇ１０（図１８）が表示される。ここでは、例えば、情報要求部５６３によってＤＣサーバー３０等に対して測定値・目標値グラフ画面Ｇ１０の表示に必要なデータ等が要求される。この要求に対し、例えば、グラフ生成部３６６で、測定値ＤＢ１Ｄｂおよび目標値ＤＢ２Ｄｂの情報、ならびにグラフ生成ルール３４２に基づいて、一被検者に係る複数の測定値に基づく測定値の経時変化と目標値との関係を示すグラフデータが生成される。そして、該グラフデータが、情報取得部５６４によってＤＣサーバー３０等から取得される。また、測定値・目標値グラフ画面Ｇ１０では、左下方に切替ボタンＣｈ１〜Ｃｈ４が表示され、右下方の部分に閉じるボタンＣ１０が表示される。なお、測定値・目標値グラフ画面Ｇ１０では、切替ボタンＣｈ１〜Ｃｈ４のうち、出力部５２に可視的に出力されている測定値・目標値グラフ画面Ｇ１０そのものに対応する切替ボタンＣｈ１の押下が禁止されている。
【０２０６】
ステップＳ１８３では、制御部５６の制御によって、メニュー画面Ｇ１４の終了ボタンＥ１４が押下されたか否かが判定される。ここで、終了ボタンＥ１４が押下されていなければ、ステップＳ９１に戻り、終了ボタンＥ１４が押下されれば、本動作フローが終了される。
【０２０７】
ステップＳ１８４では、制御部５６の制御によって、切替ボタンＣｈ１〜Ｃｈ４のうちの何れか１つのボタンが押下されたか否かが判定される。ここで、切替ボタンＣｈ１〜Ｃｈ４のうち、出力部５２に可視的に出力されている測定値・目標値グラフ画面とは異なる測定値・目標値グラフ画面に対応する１つのボタンが押下されれば、ステップＳ１８５に進む。一方、切替ボタンＣｈ１〜Ｃｈ４のうち、出力部５２に可視的に出力されている測定値・目標値グラフ画面とは異なる測定値・目標値グラフ画面に対応する１つのボタンが押下されていなければ、ステップＳ１８６に進む。
【０２０８】
ステップＳ１８５では、制御部５６の制御によって、出力部５２に表示されている測定値・目標値グラフ画面が、切替ボタンＣｈ１〜Ｃｈ４のうちの押下された切替ボタンに対応する測定値・目標値グラフ画面に切り替えられる。例えば、切替ボタンＣｈ２の押下に応答して、測定値・目標値グラフ画面Ｇ１１（図１９）が出力部５２に可視的に出力される。また、例えば、切替ボタンＣｈ３の押下に応答して、測定値・目標値グラフ画面Ｇ１２（図２０）が出力部５２に可視的に出力される。これにより、一般利用者は、一被検者についての検査項目の測定値とその目標値との関係の推移を容易に確認することができる。また、例えば、切替ボタンＣｈ４の押下に応答して、測定値・目標値グラフ画面Ｇ１３（図２１）が出力部５２に可視的に出力される。なお、図１８から図２１で示される測定値・目標値グラフ画面Ｇ１０〜Ｇ１３上では、例えば、一般利用者の動作による入力部５１からの信号の入力に応答して、マウスポインターＰｔ１によって、各種ボタンが押下される。
【０２０９】
ステップＳ１８６では、制御部５６の制御によって、閉じるボタンＣ１０が押下されたか否かが判定される。ここでは、閉じるボタンＣ１０が押下されていなければ、ステップＳ１８４に戻り、閉じるボタンＣ１０が押下されれば、図３４のステップＳ９１に戻る。
【０２１０】
＜(２)まとめ＞
以上のように、本実施形態に係る情報処理システム１では、測定値が認識可能な態様で出力されている状態で、医療従事者の動作に応じた信号の入力に応答して、検査項目について一被検者に対する目標値が入力される。そして、検査項目についての測定値と目標値との関係または組合せ、ならびに測定値と目標値とが可視的に出力された状態における医療従事者の動作に応じた信号の入力、の少なくとも一方に応じて、測定値の目標値への到達に必要な助言が決定される。これにより、健康状態の改善に係る適切かつ具体的な数値目標と指導とが被検者側に提供され得る。
【０２１１】
また、例えば、測定値および目標値が、医療従事者側からも一般利用者側からも閲覧することが可能である。これにより、医療従事者と一般利用者との間における情報の共有化が実現され得る。
【０２１２】
また、例えば、医療機関では、通信回線を介して、ＰＨＲ３１４および電子カルテＤＢ１４１の少なくとも一方に記憶された医療機関における生化学検査等で得られた測定値データを確認するとともに、一般利用者側で得られた自己測定値データも適時確認することができる。このため、状況に合わせた医療従事者による助言が入力されて、一般利用者に提供され得る。ここで、助言には、一般的な基準値に従った助言とは別に、各被検者の目標値に合わせて医療従事者である医師が助言を設定することが可能である。これにより、一般利用者側および医療機関側の双方において、測定値を目標値に近づけるための助言が提示され得る。
【０２１３】
＜(３)変形例＞
なお、本発明は上述の一実施形態に限定されるものではなく、本発明の要旨を逸脱しない範囲において種々の変更、改良等が可能である。
【０２１４】
例えば、上記一実施形態では、各被検者に対して目標値が設定されたが、これに限られず、多数の被検者が存在している場合、検査項目毎に多数の被検者が複数の値域に分類され、値域毎に複数の被検者に対して目標値が設定されても良い。
【０２１５】
また、上記一実施形態では、情報処理システム１を構成する記憶領域、第１情報処理部および第２情報処理部と言った複数の部分が、医療機関２、サービス事業者３および一般利用者４側に分散して配置されていたが、これに限られない。例えば、これらの複数の部分と同様な機能を有する一台のパソコンによって情報処理システムが構成されても良い。この場合、一台のパソコンが、ログイン等によって利用者が特定されることで、第１情報処理部および第２情報処理部のうちの何れか一方の情報処理部として機能する態様が考えられる。また、記憶領域と第１情報処理部とが一体的に構成され、第２情報処理部が個別に構成されている態様も考えられる。つまり、情報処理システム１を構成する記憶領域、第１情報処理部および第２情報処理部と言った複数の部分が、例えば、１以上の装置によって構成されていれば良い。
【０２１６】
また、上記一実施形態では、出力部２２，５２によって情報が可視的に出力されたが、これに限られない。例えば、情報が、音声および振動等といった可視的な出力とは異なる態様によって出力されても良い。
【０２１７】
また、上記一実施形態では、ＤＣサーバー３０がサービス事業者３に属していたが、これに限られない。例えば、ＤＣサーバー３０の機能を有する機器が、医療機関２に設けられても良い。この場合、医療サーバー１０がＤＣサーバー３０の機能を有する態様が採用されても良い。
【０２１８】
なお、上記一実施形態および各種変形例をそれぞれ構成する全部または一部を、適宜、矛盾しない範囲で組み合わせ可能であることは、言うまでもない。
【符号の説明】
【０２１９】
１  情報処理システム
１Ｄｂ  測定値データベース（測定値ＤＢ）
２  医療機関
２Ｄｂ  目標値データベース（目標値ＤＢ）
３  サービス事業者
３Ｄｂ  助言データベース（助言ＤＢ）
４  一般利用者
４Ｄｂ  問診データベース（問診ＤＢ）
５Ｄｂ  自己測定値データベース（自己測定値ＤＢ）
６Ｄｂ  基準値データベース（基準値ＤＢ）
７Ｄｂ  食事療法データベース（食事療法ＤＢ）
８Ｄｂ  運動療法データベース（運動療法ＤＢ）
１０  医療サーバー
１１，２１，３１，４１，５１  入力部
１２，２２，３２，４２，５２  出力部
１４，２４，３４，４４，５４  記憶部
１６，２６，３６，４６，５６  制御部
１６ａ，２６ａ，３６ａ，４６ａ，５６ａ  ＣＰＵ
１６ｂ，２６ｂ，３６ｂ，４６ｂ，５６ｂ  メモリー
２０，４０，５０，６０，７０  端末装置
３０  データーセンターサーバー（ＤＣサーバー）
１４１  電子カルテデータベース（電子カルテＤＢ）
２６１  信号受付部
２６２，５６３  情報要求部
２６３，５６４  情報取得部
２６４，５６５  出力制御部
２６５  目標入力部
２６６  助言入力部
３４１  個人健康記録（ＰＨＲ）
３４２  グラフ生成ルール
３６１  取得部
３６２  記憶制御部
３６３  情報検索部
３６４  通信制御部
３６５  助言決定部
３６６  グラフ生成部
３６７  認識部
３６８  検出部
３６９  評価部
５６１  受付部
５６２  送出部
Ｃｃ１〜Ｃｃ３  通信回線
Ｐ１〜Ｐ７  プログラム
【図１】
2016143333.tif 000003
【図２】
2016143333.tif 000004
【図３】
2016143333.tif 000005
【図４】
2016143333.tif 000006
【図５】
2016143333.tif 000007
【図６】
2016143333.tif 000008
【図７】
2016143333.tif 000009
【図８】
2016143333.tif 000010
【図９】
2016143333.tif 000011
【図１０】
2016143333.tif 000012
【図１１】
2016143333.tif 000013
【図１２】
2016143333.tif 000014
【図１３】
2016143333.tif 000015
【図１４】
2016143333.tif 000016
【図１５】
2016143333.tif 000017
【図１６】
2016143333.tif 000018
【図１７】
2016143333.tif 000019
【図１８】
2016143333.tif 000020
【図１９】
2016143333.tif 000021
【図２０】
2016143333.tif 000022
【図２１】
2016143333.tif 000023
【図２２】
2016143333.tif 000024
【図２３】
2016143333.tif 000025
【図２４】
2016143333.tif 000026
【図２５】
2016143333.tif 000027
【図２６】
2016143333.tif 000028
【図２７】
2016143333.tif 000029
【図２８】
2016143333.tif 000030
【図２９】
2016143333.tif 000031
【図３０】
2016143333.tif 000032
【図３１】
2016143333.tif 000033
【図３２】
2016143333.tif 000034
【図３３】
2016143333.tif 000035
【図３４】
2016143333.tif 000036
【図３５】
2016143333.tif 000037